(57)【要約】【課題】ホルダー又はフックにあご紐を引っ掛けて吊り下げて保管中の駐輪時のオートバイ用ヘルメット、事業所の保安用又は家庭の防災用ヘルメットを降雨、砂塵、ホコリなどから守る構造が簡単でセットし易く、軽く収納性もよく、気軽に持ち歩けるヘルメット保護カバーを提供する。【解決手段】ヘルメット本体５を包む袋状の軽く薄い防水素材のシートよりなるカバー本体1とこのカバー本体１に設けたヘルメットが出し入れできる開閉部３とヘルメットのあご紐６をカバーの外に出し入れするための中空部３０を持つ途中に蛇腹状箇所２７を設けた前記防水素材のシートよりなる連結体３１とによりシンプルにヘルメット保護カバーを構成し、更に前記連結体３１の先端部を挟持具24で着脱自在に挟み、該先端部での前記あご紐６と前記連結体３１との隙間を少なくしてより防水性を高め、施錠も可能とし収納用ポケットも設けた。【選択図】図３５
2007247136.tif 000002
【特許請求の範囲】
【請求項１】
ヘルメットを包む袋状の防水素材のシートよりなるカバー本体と、このカバー本体の任意の場所に設けられたこのヘルメットのあご紐を外に出し入れできる開口部と、前記カバー本体にあってこの開口部とは別の場所に設けられた前記ヘルメットを出し入れできる開閉部とを有し、更に前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ連結体を有するヘルメット保護カバー。
【請求項２】
ヘルメットを包む袋状の防水素材のシートよりなるカバー本体と、このカバー本体の任意の場所に設けられたこのヘルメットのあご紐を外に出し入れできる開口部と、前記カバー本体にあってこの開口部とは別の場所に設けられた前記ヘルメットを出し入れできる開閉部とを有し、前記開口部を防水性の有る伸縮性素材の幕で覆い、この幕のほぼ中心部に前記ヘルメットのあご紐をその素材の伸縮により前記カバー本体の中から外に出し入れ可能な貫通孔を有し、更に前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ連結体を有するヘルメット保護カバー。
【請求項３】
ヘルメットを包む袋状の防水素材のシートよりなるカバー本体と、このカバー本体の任意の場所に設けられたこのヘルメットのあご紐を外に出し入れできる開口部と、前記カバー本体にあってこの開口部とは別の場所に設けられた前記ヘルメットを出し入れできる開閉部とを有し、前記開口部に前記カバー本体の中より該開口部を通じて該カバー本体の外に出ている前記ヘルメットのあご紐が開閉の妨げにならない程度の大きさの周縁の任意の箇所よりその内側にかけての開口を持つ開閉自在のキャップを有し、更に前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ連結体を有するヘルメット保護カバー。
【請求項４】
前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体が防水素材のシートよりなることを特徴とする請求項１〜３のいずれか１項に記載のヘルメット保護カバー。
【請求項５】
前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体が防水性の有る伸縮性素材よりなることを特徴とする請求項１〜３のいずれか１項に記載のヘルメット保護カバー。
【請求項６】
前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体を、外側から着脱自在に挟むことができる挟持具を設けたことを特徴とする請求項１〜５のいずれか１項に記載のヘルメット保護カバー。
【請求項７】
前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体を、挟持具により前記あご紐が該連結体の中を通り該連結体の先端部から外に出ている状態で、外側から着脱自在に挟み固定したことを特徴とする請求項１〜６のいずれか１項に記載のヘルメット保護カバー。
【請求項８】
前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体を外側から着脱自在に挟むことができる挟持具を設け、この挟持具により前記あご紐が前記連結体の中を通り該連結体の先端部から外に出ている状態で、前記連結体を外側から着脱自在に挟み固定したことを特徴とする請求項１〜７のいずれか１項に記載のヘルメット保護カバー。
【請求項９】
前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体に、蛇腹状箇所を設けたことを特徴とする請求項１〜８のいずれか１項に記載のヘルメット保護カバー。
【請求項１０】
前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体に、該連結体自体を開閉自在に縮め締めることができる締着手段を設けたことを特徴とする請求項１〜９のいずれか１項に記載のヘルメット保護カバー。
【請求項１１】
前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体を結わくことにより縮め締めることができる紐又は帯を前記カバー本体又は前記連結体の任意の箇所に設け、これを開閉自在の締着手段として前記連結体を開閉自在としたことを特徴とする請求項１〜１０のいずれか１項に記載のヘルメット保護カバー。
【請求項１２】
前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体の任意の箇所に、巻き締めることにより前記連結体自体を開閉自在に捲着することができる面テープ又は面テープを取り付けた帯を付設したことを特徴とする請求項１〜１０のいずれか１項に記載のヘルメット保護カバー。
【請求項１３】
前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体の先端の開口を紐又は帯でくくり、これを開閉自在の締着手段として前記連結体の先端の開口を開閉自在としたことを特徴とする請求項１〜１０のいずれか１項に記載のヘルメット保護カバー。
【請求項１４】
前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体にひだを設けたことを特徴とする請求項１〜１３のいずれか１項に記載のヘルメット保護カバー。
【請求項１５】
前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体の先端周縁部に伸縮部材を組み込んだことを特徴とする請求項１〜１０のいずれか１項に記載のヘルメット保護カバー。
【請求項１６】
前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体の先端部に、該連結体の中を通り該先端部より外に出ている前記ヘルメットのあご紐が開閉の妨げにならない程度の大きさの周縁の任意の箇所よりその内側にかけての開口を持つ開閉自在のキャップを設けたことを特徴とする請求項１〜１０のいずれか１項に記載のヘルメット保護カバー。
【請求項１７】
前記ヘルメットのあご紐を引っ掛けて吊り下げる先のホルダー又はフックの上部又は上方に着脱自在に付設できる防水性の有る傘状のカバーを設けたことを特徴とする請求項１〜１６のいずれか１項に記載のヘルメット保護カバー。
【請求項１８】
下端円周部一端と該下端円周部の他の箇所とを着脱自在に連結することが可能な連結帯を持ち、この連結帯により前記ヘルメットのあご紐を引っ掛けて吊り下げる先のホルダー又はフックの上部又は上方に着脱自在に付設できる防水性の有る傘状のカバーを設けたことを特徴とする請求項１〜１７のいずれか１項に記載のヘルメット保護カバー。
【請求項１９】
前記カバー本体の前記開閉部の開閉具により閉じた状態の該開閉部を更に着脱自在に締着できる締着手段を設けたことを特徴とする請求項１〜１８のいずれか１項に記載のヘルメット保護カバー。
【請求項２０】
前記カバー本体の前記開閉部の開閉具をファスナーとし、前記カバー本体における任意の箇所に貫通孔を有する部材を付設し、この貫通孔を有する部材と前記ファスナーのスライダーの引手の貫通孔又はこのスライダー若しくはこの引手に付設した貫通孔を有する部材とを錠前により着脱自在に締めて、前記開閉部を施錠可能としたことを特徴とする請求項１〜１９のいずれか１項に記載のヘルメット保護カバー。
【請求項２１】
前記カバー本体の内側又は外側に、少なくとも該カバー本体を収納することが可能なポケットを設けたことを特徴とする請求項１〜２０のいずれか１項に記載のヘルメット保護カバー。
【請求項２２】
少なくとも前記カバー本体の表面に文字、数字、記号、彩色、図案、模様、紋様、デザイン、絵、ロゴマーク、キャラクターマスコット、写真プリントのうちの一つ若しくはいくつかが施されているか、又は広告宣伝用としての利用がなされていることを特徴とする請求項１〜２１のいずれか１項に記載のヘルメット保護カバー。
【請求項２３】
前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体に蛇腹状箇所を設け、且つ前記連結体を外側から着脱自在に挟むことができる挟持具を設け、この挟持具により前記あご紐が前記連結体の中を通り該連結体の先端部から外に出ている状態で、前記連結体を外側から着脱自在に挟み固定し、更に前記カバー本体の内側又は外側に、少なくとも該カバー本体を収納することが可能なポケットを設けたことを特徴とする請求項１〜７のいずれか１項に記載のヘルメット保護カバー。
【請求項２４】
前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体に蛇腹状箇所を設け、且つ前記連結体を外側から着脱自在に挟むことができる挟持具を設け、この挟持具により前記あご紐が前記連結体の中を通り該連結体の先端部から外に出ている状態で、前記連結体を外側から着脱自在に挟み固定し、前記カバー本体の前記開閉部の開閉具をファスナーとし、前記カバー本体における任意の箇所に貫通孔を有する部材を付設し、この貫通孔を有する部材と前記ファスナーのスライダーの引手の貫通孔又はこのスライダー若しくはこの引手に付設した貫通孔を有する部材とを錠前により着脱自在に締めて、前記開閉部を施錠可能とし、更に前記カバー本体の内側又は外側に、少なくとも該カバー本体を収納することが可能なポケットを設けたことを特徴とする請求項５〜７のいずれか１項に記載のヘルメット保護カバー。
【発明の詳細な説明】
【技術分野】
【０００１】
本発明は、オートバイ駐輪時、工場、工事現場を始めとした事業所、一般家庭などにおいて、あご紐をホルダー、フックなどに引っ掛けて吊り下げ保管した時のヘルメットを降雨、砂塵、ホコリからまもるためのヘルメットの保護カバーに関する。
【背景技術】
【０００２】
屋根の無い駐輪場にメットイン機構を持つスクータータイプでないオートバイをとめその場所を長時間離れる場合、大変不便ではあるが重く嵩張るオートバイ用ヘルメットを持ち歩いて行動しなければならないことが多い。その理由はこのヘルメットを持ち歩かず、オートバイのヘルメットホルダーに吊り下げたり、オートバイのシートの上に乗せたままなどしてその場所を離れて行動してしまうと、その間に突然雨が降り出した場合、ヘルメットの内側がびしょ濡れになりヘルメットをかぶることに躊躇してしまうことが多々あるからである。たとえヘルメットをシート又はバックミラーの上などに乗せたままにして、多少雨水がヘルメットの内側に入りにくい姿勢で置くことができたとしても、雨が長時間に及べばヘルメットの内側はびしょ濡れになるし、何の押さえも無いので強風や何かの弾みでヘルメットが下に落ちてしまう危険もあるし、盗難の恐れも生ずる。またヘルメットをヘルメットホルダーに吊り下げて保管した場合でも、ヘルメットのかぶり口（開口部）が上又は横を向くことが多く、多少の雨でもヘルメットの内側がびしょ濡れになり易い。これらの結果、びしょ濡れになったヘルメットをかぶることが嫌で、オートバイで移動、帰宅などが出来なくなってしまうことがある。
【０００３】
またメットイン機構を持つスクータータイプの場合でも、時に大事な荷物を優先してメットインスペースに収納して風雨からまもることがあるため、ヘルメットを収納できなくなり、上記と同様な問題が生ずることがある。従ってオートバイ駐輪時にヘルメットを降雨、砂塵、ホコリなどからまもって保管することは、オートバイライダーの駐輪時での不要な心配を無くし、身軽で自由な行動を実現するための重要な解決すべき課題と言える。
【０００４】
上記と同様な課題の解決を目指した従来のオートバイ駐輪時のヘルメットを降雨、砂塵からまもるための保護袋には、以下のものがある。これは図３８に示すように２つの小さな金属製リングを９本の可変式ワイヤーで輪結して球形の骨組みを作り、その内側に布地を、外側に防水布地６６を張り、ワイヤーが横にずれないように挟む形でミシン縫いの跡６７が示すような形でミシン縫いしたものである。その一部に設けた開閉口６８（ワイヤーの１本目と９本目の間）よりヘルメットをそのあご紐と共にその保護袋に収納し、防さび金属製大型リング付きファスナー６９にて閉口し、その後に小さな金属製リングに付設されている先端部に防さび金属製小型リングを付けた可変式で太めのワイヤー７０を前記金属製大型リングの中をくぐらせて輪結し、最終的に前記ワイヤー７０の先端部の防さび金属製小型リングをオートバイに付設の駐輪用ヘルメットホルダー又はフックに引っ掛け吊り下げて、中のヘルメットを降雨、砂塵からまもるものであった。（例えば、特許文献１参照。）
【０００５】
なお工場、工事現場などの事業所又は一般家庭における建屋の屋内又は屋外の壁などに設置されたホルダー又はフックに、あご紐により吊り下げて保管した時のヘルメットを降雨、砂塵、ホコリなどからまもるためのヘルメットの保護カバーは、現在のところ見当たらない。
【特許文献１】実開平７−３５２８０（第２頁、第１図）
【発明の開示】
【発明が解決しようとする課題】
【０００６】
従来技術としてのオートバイ駐輪時のヘルメットを降雨、砂塵からまもるための前記保護袋は、その構造より金属製リング、ワイヤーを多用するため、重く、折りたたんでも嵩張り洋服のポケット、バッグなどに収めるのにも困難が予想され、普段気軽に持ち歩いて使用するにはその重量、収納性及び携帯性に問題があった。またその構造が複雑なためそれを製造した場合、多くの所要製造工程を要すことになる問題があった。
【０００７】
また前記オートバイ駐輪時などのヘルメットを降雨、砂塵からまもるための場合以外にも、工場、工事現場を始めとした事業所で建屋の屋内若しくは屋外の壁などにホルダー若しくはフックを設置し、そこにあご紐により吊り下げて保安用ヘルメットを保管する場合、又は一般家庭で建屋の屋内若しくは屋外の壁などにホルダー若しくはフックを設置し、そこにあご紐により吊り下げて防災用ヘルメットを保管する場合もあるため、これらのヘルメットを降雨、砂塵、ホコリなどからまもることも新たに解決すべき課題となる。
【０００８】
本発明は、以上のような従来技術の欠点に鑑み、その構造を金属製リング、ワイヤーなどを用いず簡単にし、薄く柔らかで軽い防水素材のシートと開閉部での軽量な開閉具などから構成し、保護カバー自体の全体重量を軽量化し、使用時にセットし易く、未使用時の収納性、携帯性に優れ、手軽に持ち歩け、その色彩、様々なデザイン性のある文字、模様、彩色などを施すことにより使用していて楽しくなるような、また使用時にその彩色、表示されたデザインなどのインパクト性によりオートバイ自体をもより際立たせるような、更に広告宣伝用の露出媒体としても利用され、且つその製造時にもシンプルな構成により所要製造工程が少なくて済むオートバイ駐輪時などでの保管中のヘルメットを降雨、砂塵、ホコリなどからまもるためのヘルメット保護カバーを提供することを目的としている。
【０００９】
本発明は、また前記目的の他に工場、工事現場を始めとした事業所で建屋の屋内若しくは屋外の壁などに設置されたホルダー若しくはフックにあご紐により吊り下げて保安用ヘルメットを保管する場合、又は一般家庭で建屋の屋内若しくは屋外の壁などに設置されたホルダー若しくはフックにあご紐により吊り下げて防災用ヘルメットを保管する場合に、これらのヘルメットを降雨、砂塵、ホコリなどからまもるための軽量で、使用時にセットし易く、未使用時の収納性、携帯性に優れ、その色彩、様々なデザイン性のある彩色などにより使用していて楽しく、またその使用によって中に保管されているヘルメットの識別性がより高まるような、且つその製造時にもシンプルな構成により所要製造工程が少なくて済むヘルメット保護カバーを提供することを目的としている。
【課題を解決するための手段】
【００１０】
各請求項にそれぞれ記載された各発明は、上記の目的を達成するためになされたものであり、以下に課題を解決するための各手段を記載する。
【００１１】
請求項１に係る発明では、ホルダー又はフックにあご紐を引っ掛けて吊り下げられて保管されているヘルメットを降雨、砂塵、ホコリからまもるためのヘルメット保護カバーを、ヘルメットを包む袋状の防水素材のシートよりなるカバー本体と、このカバー本体の任意の場所に設けられたこのヘルメットのあご紐を外に出し入れできる開口部と、前記カバー本体にあってこの開口部とは別の場所に設けられた前記ヘルメットを出し入れできる開閉部と前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ連結体とで構成している。この場合前記開口部はヘルメットの前記あご紐を前記カバー本体の中（内側）から外に出し入れできるものであり、また前記開閉部は前記ヘルメットを前記カバー本体の中（内側）に出し入れできるものである。
【００１２】
請求項２に係る発明では、ホルダー又はフックにあご紐を引っ掛けて吊り下げられて保管されているヘルメットを降雨、砂塵、ホコリからまもるためのヘルメット保護カバーを、ヘルメットを包む袋状の防水素材のシートよりなるカバー本体と、このカバー本体の任意の場所に設けられたこのヘルメットのあご紐を外に出し入れできる開口部と、前記カバー本体にあってこの開口部とは別の場所に設けられた前記ヘルメットを出し入れできる開閉部と前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ連結体とで構成し、前記開口部を防水性の有る伸縮性素材の幕で覆い、この幕のほぼ中心部に前記ヘルメットのあご紐をその素材の伸縮により前記カバー本体の中から外に出し入れ可能な貫通孔を設けている。この場合前記開口部はヘルメットの前記あご紐を前記カバー本体の中（内側）から外に出し入れできるものであり、また前記開閉部は前記ヘルメットを前記カバー本体の中（内側）に出し入れできるものである。
【００１３】
請求項３に係る発明では、ホルダー又はフックにあご紐を引っ掛けて吊り下げられて保管されているヘルメットを降雨、砂塵、ホコリからまもるためのヘルメット保護カバーを、ヘルメットを包む袋状の防水素材のシートよりなるカバー本体と、このカバー本体の任意の場所に設けられたこのヘルメットのあご紐を外に出し入れできる開口部と、前記カバー本体にあってこの開口部とは別の場所に設けられた前記ヘルメットを出し入れできる開閉部と前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ連結体とで構成し、前記開口部に前記カバー本体の中より該開口部を通じて該カバー本体の外に出ている前記ヘルメットのあご紐が開閉の妨げにならない程度の大きさの周縁の任意の箇所よりその内側にかけての開口を持つ開閉自在のキャップを設けている。この場合前記開口部はヘルメットの前記あご紐を前記カバー本体の中（内側）から外に出し入れできるものであり、また前記開閉部は前記ヘルメットを前記カバー本体の中（内側）に出し入れできるものである。
【００１４】
上記請求項１〜３の課題を解決するための各手段の説明から明らかなように、本発明では前記ヘルメット保護カバー自体で中に収納するヘルメットの重量とこの保護カバー自体の重量の両方を保持して、ホルダー又はフックに吊り下げて保管するといった方法は取らず、まず重量の重いヘルメット自体はこのヘルメットに付設のあご紐によりホルダー又はフックに吊り下げることで保持し、前記保護カバーはこの吊り下げられたヘルメットの上に乗っている状態で前記ヘルメットをそれ自体の防水素材のシートで覆い、収納保管中のヘルメットを降雨、砂塵、ホコリなどから保護する方式とした。そして前記カバー本体の前記開口部からの該カバー本体内部への雨水などの浸入を少なくするために、更に前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ連結体を設けた。この中空部を持つ連結体は、前記ヘルメットのあご紐を前記カバー本体の中（内側）から中空部を通しヘルメットカバーの外に出し入れできるものであり、その素材としては防水素材のシート、防水性の有る伸縮性素材、ゴム、合成樹脂、金属、又は木材が使用され得る。勿論前記連結体は、中が空洞でヘルメットのあご紐を通すことができるものであれば円柱形に限らず先の狭まったスカート型のものでもよく、角柱形などを含めた様々な形のものでもよい。前記連結体を設けたことで前記ヘルメットのあご紐を前記連結体で覆うことが可能になるので、それだけこのあご紐の前記連結体で覆われている部分が多くなり、糸で編まれている前記あご紐への雨水のしみ込みが減って、前記ヘルメット保護カバー内部への雨水の侵入をより防ぐことが可能となった。また防水素材のシートとは、通常雨具等に使用され得る実質的に水を透さないシート状の材料をいう。例えばポリエステル、ナイロン等の合成繊維に防水又は撥水加工を施したもの、ポリ塩化ビニール、ポリエチレン等の合成樹脂製のシート又はフィルム、ゴム引き地などの防水加工を施した布、耐水紙などの耐水性の有る紙などを使用することが出来るし、また透湿防水素材のもの等、雨具に使用するに好適な種々の材料を使用することができる。
【００１５】
これにより大変シンプルな構造ではあるが、前記ヘルメット保護カバーの開閉部を開き、まずヘルメットのあご紐を前記ヘルメット保護カバーの前記開口部及び前記連結体から抜けて外に出るようにしながら、このヘルメットの本体を前記ヘルメット保護カバーの中に収納し、前記開閉部を閉め、その後ホルダー又はフックに前記開口部及び前記連結体から外に出ている前記あご紐により吊り下げて収納保管することで、前記ヘルメット保護カバーが収納、保護している前記ヘルメット本体の重量を支える必要なしに、中の前記ヘルメット本体を降雨、砂塵、ホコリなどからまもることが可能となったし、軽量で使用時にセットし易く、未使用時には折りたたんでも嵩張らず収納性、携帯性に優れ、洋服のポケット、バッグなどに入れて手軽に持ち歩けるヘルメット保護カバーとして提供できることになった。勿論この場合、前記ヘルメット本体を前記ヘルメット保護カバーの中に収納しながら、又は収納した後にまずホルダー又はフックに前記開口部及び前記連結体から外に出ている前記あご紐により吊り下げ、その後に前記開閉部を閉めて保管してもよい。保管解除の方法はこの逆の手順でよい。また前記あご紐はＤリング又はワンタッチバックルが付設されているものでも、Ｄリングとワンタッチバックルの両方が付設されているものでもかまわないし、前記あご紐にＤリングが付いている場合であればこのＤリングによりホルダー又はフックに吊り下げてヘルメットを保管してもよい。
【００１６】
請求項２に係る発明では、前記請求項１に係る発明のヘルメット保護カバーに更に前記カバー本体の前記開口部を防水性の有る伸縮性素材の幕で覆い、この幕のほぼ中心部に前記ヘルメットのあご紐をその素材の伸縮により前記カバー本体の中から外に出し入れ可能な貫通孔を設けている。防水性の有る伸縮性素材とはクロロピレンゴム、エチレン・プロピレンゴムなどの伸縮性と耐候性の有るゴムである。またこの場合、前記カバー本体の前記開口部とこの防水性の有る伸縮性素材の幕の間に、平ワッシャー状の板をかまして用いても構わない。この平ワッシャー状の板の素材としてはゴム、合成樹脂、金属、又は木材が使用され得る。これにより補強されるので前記開口部周辺の強度も増し、該開口部への前記あご紐の通過もスムースに行える。
【００１７】
これによりヘルメット収納保管後は、前記連結体により雨水などの前記開口部への浸入は減るが、更に前記開口部を覆った幕のほぼ中心部に設けられた前記貫通孔と前記あご紐との隙間が小さいものとなるので、前記開口部での防水性、気密性が高まり、前記ヘルメット保護カバー内部への雨水、砂塵、ホコリの侵入をより防ぐことが可能となった。
【００１８】
請求項３に係る発明では、前記請求項１に係る発明のヘルメット保護カバーに更に前記カバー本体の前記開口部に、該カバー本体の中より該開口部を通じて前記カバー本体の外に出ている前記ヘルメットのあご紐が開閉の妨げにならない程度の大きさで周縁の任意の箇所よりその内側にかけての開口を持つ開閉自在のキャップを設けている。またこの場合、前記カバー本体の前記開口部とこの開閉自在のキャップの間に、平ワッシャー状の板をかまして用いても構わない。これにより補強されるので前記開口部周辺の強度も増し、該開口部への前記あご紐の通過もスムースに行える。
【００１９】
これによりヘルメット収納保管後は、前記連結体により雨水などの前記開口部への浸入は減るが、更に前記カバー本体の前記開口部の前記キャップを閉めた時のキャップの開口とヘルメットのあご紐との隙間が小さいものであるため、前記開口部における防水性、気密性が高まり、前記ヘルメット保護カバー内部への雨水、砂塵、ホコリの侵入をより防ぐことが可能となった。
【００２０】
請求項４に係る発明では、前記請求項１〜３のいずれか１項に係る発明のヘルメット保護カバーにおいて、前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体が防水素材のシートよりなることを特徴としている。
【００２１】
これにより一体型のシンプルな構造ではあるが、前記ヘルメットのあご紐を防水素材のシートよりなる前記連結体で覆うことになるので、それだけこのあご紐の防水素材のシートよりなる前記連結体で覆われている部分が多くなり、糸で編まれている前記あご紐への雨水のしみ込みが減って、前記ヘルメット保護カバー内部への雨水の侵入をより防ぐことが可能となったし、前記連結体は折り畳みやすくなったので前記ヘルメット保護カバーはよりコンパクトに収納可能となりその収納性は向上した。
【００２２】
請求項５に係る発明では、前記請求項１〜３のいずれか１項に係る発明のヘルメット保護カバーにおいて、前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体が防水性の有る伸縮性素材よりなることを特徴としている。
【００２３】
これにより一体型のシンプルな構造ではあるが、ヘルメットのあご紐を防水性の有る伸縮性素材の前記連結体で覆うことになるので、それだけこのあご紐の防水性の有る伸縮性素材よりなる前記連結体で覆われている部分が多くなり、糸で編まれている前記あご紐への雨水のしみ込みが減って、前記ヘルメット保護カバー内部への雨水の侵入をより防ぐことが可能となった。また前記連結体の形状を根元が太く先が細いスカート形状にし、その先端の開口の大きさをこの素材の持つ伸縮性を利用することにより前記あご紐を前記連結体の中を通し外に出し入れできて、且つ前記あご紐が前記連結体の中を通り外に出た状態の時に前記連結体の先端の前記開口が前記あご紐を挟み銜えることができる大きさにすれば、前記あご紐による前記連結体の中での通過がスムースとなり収納保管セットもし易く、且つ前記連結体とヘルメットの前記あご紐との隙間を減らすことができるので、このヘルメット保護カバーの防水性、気密性をより高めることができる。
【００２４】
請求項６に係る発明では、前記請求項１〜５のいずれか１項に係る発明のヘルメット保護カバーにおいて、前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体を、外側から着脱自在に挟むことができる挟持具を設けたことを特徴としている。そして設けられたこの挟持具により前記ヘルメットのあご紐が前記連結体の中を通り該連結体の先端部から外に出ている状態で、該連結体を外側から着脱自在に挟むものである。勿論この前記ヘルメットのあご紐が前記連結体の中を通り該連結体の先端部から外に出ている状態とは、前記あご紐によりホルダー又はフックに吊り下げて前記ヘルメットを収納保管している時の状態でもよい。好適には前記挟持具により前記連結体を外側から挟む際は、前記連結体の先端部に何らかの手段又は部材を設けた場合を除き、前記連結体の先端部を着脱自在に挟み固定することが望ましい。
【００２５】
請求項７係る発明では、前記請求項１〜６のいずれか1項に係る発明のヘルメット保護カバーにおいて、前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体を、挟持具により前記あご紐が前記連結体の中を通り該連結体の先端部から外に出ている状態で、外側から着脱自在に挟み固定したことを特徴としている。勿論この前記ヘルメットのあご紐が前記連結体の中を通り該連結体の先端部から外に出ている状態とは、前記あご紐によりホルダー又はフックに吊り下げて前記ヘルメットを収納保管している時の状態でもよい。好適には前記挟持具により前記連結体を外側から挟む際は、前記連結体の先端部に何らかの手段又は部材を設けた場合を除き、該連結体の該先端部を挟み固定することが望ましい。
【００２６】
請求項８に係る発明では、前記請求項１〜７のいずれか１項に係る発明のヘルメット保護カバーにおいて、前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体を外側から着脱自在に挟むことができる挟持具を設け、この挟持具により前記あご紐が前記連結体の中を通り該連結体の先端部から外に出ている状態で、前記連結体を外側から着脱自在に挟み固定したことを特徴としている。勿論この前記ヘルメットのあご紐が前記連結体の中を通り該連結体の先端部から外に出ている状態とは、前記あご紐によりホルダー又はフックに吊り下げて前記ヘルメットを収納保管している時の状態でもよい。好適には前記挟持具により前記連結体を外側から挟む際は、前記連結体の先端部に何らかの手段又は部材を設けた場合を除き、該連結体の該先端部を挟み固定することが望ましい。
【００２７】
上記請求項６、請求項７、又は請求項８に係る各発明により、それぞれ以下のことが可能となった。即ちヘルメットを前記ヘルメット保護カバーの中に収納する際には、前記連結体の中を前記あご紐が通り易いように前記開口部及び前記連結体の内寸をある程度広く確保してたとえ大きめのワンタッチバックル付きのあご紐であってもこの中を通り易く収納保管セットし易くしておいて、収納保管セット後には前記連結体の先端部を挟持具で挟み固定することで該連結体の先端部での該連結体とヘルメットのあご紐との隙間を減らすことができるので、前記あご紐への雨水のしみ込み、垂れ下がりなどが減ると共に前記連結体の先端の開口への雨水の浸入も減り、ヘルメット保護カバーの防水性、気密性も高まって、該ヘルメット保護カバー内部への雨水、砂塵、ホコリの侵入をより防ぐことが可能となった。またこれによりヘルメットを吊り下げ収納保管する際に、前記連結体の先端部をこのヘルメットのあご紐のできるだけ上の部分で固定することができることになったし、前記連結体が自然にずり下がっていくことを防ぐこともできるようになったので、前記連結体により覆われ保護される範囲が大きくなり前記あご紐への雨水のしみ込みも減り、該ヘルメット保護カバー内部への雨水などの侵入をより防ぐことが可能となった。
【００２８】
またヘルメットを前記あご紐に付設されているＤリングによりホルダー又はフックに吊り下げて収納保管するのではなく、前記ヘルメットの両サイドより伸びている２本の前記あご紐同士を結び付けて、この結び付けられ１本に繋がれた状態の前記あご紐によりホルダー又はフックに吊り下げてヘルメットを保管する場合もあり、この場合には吊り下げられホルダー又はフックから垂れ下がる２本に分かれている前記あご紐同士が、該あご紐の付け根に当たる前記ヘルメットの両サイド間の距離がホルダー又はフックにおける前記あご紐との接触面以上の長さとなるために、下にさがるに従いだんだん広がり離れていくことになり、この広がり離れていく力が前記連結体を内側から圧迫することになるが、前記挟持具で前記連結体を外側から強い力で挟み固定することによりこの広がり離れていく力の圧迫による前記連結体の素材の劣化を防ぐことができる。
【００２９】
請求項９に係る発明では、前記請求項１〜８のいずれか1項に係る発明のヘルメット保護カバーにおいて、前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体に、蛇腹状箇所を設けたことを特徴としている。
【００３０】
これにより、個々のヘルメットのあご紐に長い、短いの違いがあっても、前記連結体が伸縮機構を持つことになったので、このヘルメット保護カバーは収納保管のため取り付けセットする時に、吊り下げられた前記あご紐が短い場合には前記蛇腹状箇所を縮め、逆に長い場合には前記蛇腹状箇所を伸ばすことにより、ヘルメットのあご紐の長さに対し許容範囲の広い対応が可能となった。またこの伸縮機構によりヘルメットの収納保管で前記連結体を前記挟持具で挟み固定する際などで、該連結体を上に長く伸ばすことで該連結体の先端部をこのヘルメットのあご紐のできるだけ上の部分で固定することができるなど前記連結体により覆われている前記あご紐の部分をその時々で大きくするように調整することができるので、前記連結体により保護できる範囲も大きくなり前記あご紐への雨水のしみ込みが減って、このヘルメット保護カバー内部への雨水の侵入をより防ぐことが可能となった。
【００３１】
請求項１０に係る発明では、前記請求項１〜９のいずれか１項に係る発明のヘルメット保護カバーにおいて、前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体に、該連結体自体を開閉自在に縮め締めることができる締着手段を設けたことを特徴としている。これは例えば前記連結体の適所に２本の紐を括り付けてこの紐により前記あご紐が通っている前記連結体を結わいて縮め締めてしまうものとか、前記連結体の適所に表面のほぼ全てに面テープを設け裏面の先端部又はほぼ全てに面テープを設けた帯の根元の一端を縫着し、この帯を巻き締めて該帯に設けてあるこの面テープにより前記連結体自体を開閉自在に捲着するものであるとか、前記帯を捲着する手段として面テープに変えてボタン、スナップなどを用いたものであるとか、巾着のように前記連結体の先端の開口を紐又は帯でくくり、即ち前記連結体の先端の開口周縁に任意の一部分を除いて筒状部を形成し、この筒状部の中に紐又は帯を通して、該筒状部の二つの口からそれぞれ外に出ているこの紐若しくは帯を縮め結わくこと又は該紐若しくは帯を緩め解くことにより前記連結体の先端の開口を開閉自在に締着するものである。この前記連結体に前記表と裏に面テープを設けた帯を付設した場合などであれば、好適には前記連結体の先端部に何らかの手段又は部材を設けた場合を除き、この帯の根元の一端を該連結体の先端近くに縫着などにより設け、前記帯により前記連結体の先端近くを巻き締め、該帯の表面と裏面に設けられた面テープなどにより前記先端部を締着することが望ましい。
【００３２】
これにより大変楽にヘルメットを吊り下げ保管のセットができる一体型のシンプルな構造でありながら、前記連結体とヘルメットのあご紐との隙間を減らすことができるので、防水性、気密性に優れたヘルメット保護カバーとなった。
【００３３】
請求項１１に係る発明では、前記請求項１〜１０のいずれか１項に係る発明のヘルメット保護カバーにおいて、前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体を縛ることにより縮め締めることができる紐又は帯を前記カバー本体又は前記連結体に設け、これを開閉自在の締着手段として前記連結体の先端の開口を開閉自在としたことを特徴としている。この場合好適には前記連結体の先端部を縛り、この先端部を縮め締めることができる紐又は帯を前記カバー本体又は前記連結体に設け、これを開閉自在の締着手段として前記連結体の先端の開口を開閉自在としたものが望ましい。
【００３４】
これにより大変楽にヘルメットを吊り下げ収納保管のセットができる一体型のシンプルな構造でありながら、前記カバー本体又は前記連結体の任意の箇所に前記連結体を結わくことにより縮め締めることができる紐又は帯を設け、これを開閉自在の締着手段として前記連結体を開閉自在としたことにより前記連結体と前記ヘルメットのあご紐との隙間を減らすことができるので、防水性、気密性に優れたヘルメット保護カバーとなった。また前記連結体の先端部を縛り、この先端部を縮め締めることができる紐又は帯を前記カバー本体又は前記連結体に設け、これを開閉自在の締着手段として前記連結体の先端の開口を開閉自在としたものであれば、前記連結体の先端の開口を開閉自在としたことにより前記連結体と前記ヘルメットのあご紐との隙間を前記連結体の先端の開口において減らすことができるので、更に防水性、気密性に優れたヘルメット保護カバーとなった。
【００３５】
請求項１２に係る発明では、前記請求項１〜１０のいずれか１項に係る発明のヘルメット保護カバーにおいて、前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体の任意の箇所に、巻き締めることにより前記連結体自体を開閉自在に捲着することができる面テープ又は面テープを取り付けた帯を付設したことを特徴としている。この場合好適には前記連結体の先端部近くの任意の箇所に、前記連結体の先端部近くを巻き締めることができ、前記連結体の先端部自体を開閉自在に捲着することができる両面タイプの面テープ又は面テープを取り付けた帯を付設し、これを開閉自在の締着手段として前記連結体の先端の開口を開閉自在としたものが望ましい。
【００３６】
これにより大変楽にヘルメットを吊り下げ収納保管のセットができる一体型のシンプルな構造でありながら、前記カバー本体の前記連結体の任意の箇所に前記連結体を縛ることにより前記連結体自体を縮め締めることができる紐又は帯を設け、これを開閉自在の締着手段として前記連結体を開閉自在としたことにより、前記連結体と前記ヘルメットのあご紐との隙間を減らすことができるので、防水性、気密性に優れたヘルメット保護カバーとなった。また前記連結体の先端部を巻き締めることができ、前記連結体の先端部自体を開閉自在に捲着することができる両面タイプの面テープ又は面テープを取り付けた帯を付設し、これを開閉自在の締着手段として前記連結体の先端の開口を開閉自在としたものであれば、前記連結体の先端の開口を開閉自在としたことにより前記連結体と前記ヘルメットのあご紐との隙間を前記連結体の先端の開口において減らすことができるので、更に防水性、気密性に優れたヘルメット保護カバーとなった。
【００３７】
請求項１３に係る発明では、前記請求項１〜１０のいずれか１項に係る発明のヘルメット保護カバーにおいて、前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体の先端の開口を紐又は帯でくくり、これを開閉自在の締着手段として前記連結体の先端の開口を開閉自在としたことを特徴としている。これは巾着のように前記連結体の先端の開口周縁に任意の一部分を除いて筒状部を形成し、この筒状部の中に紐又は帯を通して、該筒状部の二つの口からそれぞれ外に出ているこの紐若しくは帯を縮め結わくこと又は該紐若しくは帯を緩め解くことにより前記連結体の先端の開口を開閉自在に締着するものである。
【００３８】
これにより大変楽にヘルメットを吊り下げ収納保管のセットができる一体型のシンプルな構造でありながら、前記連結体の先端の開口にくくられた前記紐又は帯を開閉自在に縮め結わくことにより前記連結体と前記ヘルメットのあご紐との隙間を減らすことができるので、防水性、気密性に優れたヘルメット保護カバーとなった。
【００３９】
請求項１４に係る発明では、前記請求項１〜１３のいずれか１項に係る発明のヘルメット保護カバーにおいて、前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体にひだを設けたことを特徴としている。これは前記連結体の一部分に内ひだ又は外ひだを設けたもので、例えば前記連結体の先端の開口周縁の一部を内ひだとし、この内ひだを前記連結体の付け根まで延長させて設けるか又はこの付け根に至る少し手前まで延長させて設けるもので、その延長させて設ける際は前記連結体の先端の開口周縁の一部から前記付け根又は前記付け根に至る少し手前となる前記延長の終着点にかけて徐々に前記内ひだの幅を狭めていき、この終着点となるダーツ止まりの箇所では前記内ひだは無くなりそこで縫いくくられているものある。勿論前記内ひだを設けたとはいえダーツ止まりの箇所を始めとして内ひだ部分の全ては隙間なく縫製などにより塞がれるものなので、前記連結体及び前記カバー本体に雨水などの浸入をもたらす覆いの切れ目、部分的な欠落を新たに生じさせるものではない。
【００４０】
これによりヘルメットを吊り下げ保管するためヘルメットを前記ヘルメット保護カバーに収納セットする際の前記挟持具により中に前記あご紐が通っている前記連結体を外側から挟み固定する時に、前記あご紐を例えば内ひだにあてがうとこの内ひだが一つの支え、ガイドとなり、前記あごを包みながら隙間少なく前記連結体を嵩張らずきれいに折り畳めることができることになるので、前記挟持具によりしっかりと前記連結体を挟み固定することができることになった。またヘルメットを前記ヘルメット保護カバーに収納セットする際の前記あご紐を前記カバー本体の開口部から前記連結体の中を通して該連結体の外に引き出す時に、内ひだを外側に引き開き該連結体の内寸を一時的に広げ、その広がっている該連結体の中に手又は指を入れて前記あご紐を引っ張り出すことにより、容易に該あご紐を前記連結体の外に出すことができることになった。
【００４１】
請求項１５に係る発明では、前記請求項１〜１０のいずれか１項に係る発明のヘルメット保護カバーにおいて、前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体の先端周縁部に伸縮部材を組み込んだことを特徴としている。この伸縮部材とは天然ゴムの芯ゴムにカーボンを混ぜて耐久性を強化し、ポリエステルの皮糸で組んだアウトドア用のゴムロープなどの丸ゴム紐である。またこの場合前記連結体の形状を根元が太く先が細いスカート形状にし、前記伸縮部材を組み込んだ先端部の開口の大きさをこの素材の持つ伸縮性を利用することにより前記あご紐を前記連結体の中を通し外に出し入れできて、且つ前記あご紐が前記連結体の中を通り外に出た状態の時に、前記連結体の先端の開口が前記あご紐を挟み銜えることができる大きさにすることが望ましい。
【００４２】
これにより大変楽にヘルメットを吊り下げ収納保管のセットができる一体型のシンプルな構造でありながら、前記連結体と前記ヘルメットのあご紐との隙間を減らすことができるので、防水性、気密性に優れたヘルメット保護カバーとなった。
【００４３】
請求項１６に係る発明では、前記請求項１〜１０のいずれか１項に係る発明のヘルメット保護カバーにおいて、前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体の先端部に、該連結体の中を通り該先端部より外に出ている前記ヘルメットのあご紐が開閉の妨げにならない程度の大きさの周縁の任意の箇所よりその内側にかけての開口を持つ開閉自在のキャップを設けたことを特徴としている。
【００４４】
これにより前記連結体の先端部の前記キャップを閉めた時のキャップ蓋の開口とヘルメットのあご紐との隙間が小さいものであるため、前記連結体の先端部における防水性、気密性が高まり、前記ヘルメット保護カバー内部への雨水、砂塵、ホコリの侵入をより防ぐことが可能となった。
【００４５】
請求項１７に係る発明では、前記請求項１〜１６のいずれか１項に係るヘルメット保護カバーにおいて、前記ヘルメットのあご紐を引っ掛けて吊り下げる先のホルダー又はフックの上部又は上方に着脱自在に付設できる防水性の有る傘状のカバーを設けたことを特徴としている。これは下端円周部一端と該下端円周部の他の箇所とを着脱自在に連結することが可能な連結帯を持ち、この連結帯により前記ヘルメットのあご紐を引っ掛けて吊り下げる先のホルダー又はフックの上部又は上方に着脱自在に付設できる防水素材のシート、ゴム、合成樹脂、金属、又は木材よりなる防水性の有る傘状のカバーを設けて、この防水性の有る傘状のカバーを前記ホルダー又はフックの上部又は上方に着脱自在に付設セットするものである。前記防水性の有る傘状のカバーの素材となるゴム、合成樹脂、金属、及び木材はそれぞれ板状のものでもよいし、金属及び木材の場合であればそれぞれ塗装されたものでもよい。また好適には前記連結帯は前記防水性の有る傘状のカバーの下端円周部一端と該下端円周部一端の円周上のほぼ反対側に位置する箇所とを着脱自在に連結するものであることが望ましい。
【００４６】
請求項１８に係る発明では、前記請求項１〜１７のいずれか１項に係るヘルメット保護カバーにおいて、下端円周部一端と該下端円周部の他の箇所とを着脱自在に連結することが可能な連結帯を持ち、この連結帯により前記ヘルメットのあご紐を引っ掛けて吊り下げる先のホルダー又はフックの上部又は上方に着脱自在に付設できる防水性の有る傘状のカバーを設けたことを特徴としている。この防水性の有る傘状のカバーは防水素材のシート、ゴム、合成樹脂、金属、又は木材よりなるもので、前記ホルダー又はフックの上部又は上方に着脱自在に付設セットするものである。前記防水性の有る傘状のカバーの素材となるゴム、合成樹脂、金属、及び木材はそれぞれ板状のものでもよいし、金属及び木材の場合であればそれぞれ塗装されたものでもよい。また好適にはこの連結帯は前記防水性の有る傘状のカバーの下端円周部一端と該下端円周部一端の円周上のほぼ反対側に位置する箇所とを着脱自在に連結するものであることが望ましい。
【００４７】
上記請求項１７又は請求項１８に係る各発明において前記連結帯で着脱自在に連結する際は、該連結帯を前記ヘルメットのあご紐を引っ掛けて吊り下げるホルダー又はフックに絡ませ、巻きつかせるなどして連結し、前記防水性の有る傘状のカバーがこのホルダー又はフックの上部又は上方の位置で安定して付設されることが望ましい。また前記防水性の有る傘状のカバーは、前記カバー本体又は前記カバー本体の前記開口部周縁若しくは該開口部周縁から外側に離れた任意の箇所より連結された前記連結体の任意の箇所より紐、帯、又は鎖を伸ばしその先に設けて紛失しにくくしてもよいし、直接付設しないで単独にしておいて前記ヘルメット保護カバーの付属品として提供されるものでもよい。
【００４８】
上記請求項１７又は請求項１８に係る各発明により、それぞれ以下のことが可能となった。即ちこの防水性の有る傘状のカバーを設けたことにより  、降雨による雨水が前記カバー本体の前記開口部又は前記連結体の先端の開口から前記ヘルメット保護カバー内部に入り込むことをより防ぐことができる。特にヘルメットが吊り下げられているホルダー又はフックの真上に雨水を遮るオートバイシートの縁などの遮蔽物が無い場合などは、この効果は更に大きくなる。
【００４９】
請求項１９に係る発明では、前記請求項１〜１８のいずれか１項に係るヘルメット保護カバーにおいて、前記カバー本体の前記開閉部の開閉具により閉じた状態の該開閉部を更に着脱自在に締着できる締着手段を設けたことを特徴としている。これは何かの弾みで前記開閉具に緩みが生じ前記開閉部が意図せず開いてしまうことを防ぎ、場合によっては施錠可能として防犯性を高めるためのもので、例えば（１）前記カバー本体の前記開閉部の開閉具を止水ファスナーなどのファスナーとし、このファスナーの下止から上止へ向かった場合にこの上止の先方に当たる前記カバー本体における適所にマグネットの付いた部材を付設し、前記ファスナーを閉めた状態でこのマグネットの付いた部材と前記ファスナーのスライダー又はこのスライダーの引手部分に付設したマグネットの付いた部材とをそのマグネットの磁力により付けたり逆に手で強く引き離したりして、開閉具により閉じた状態の前記開閉部を更に着脱自在に締着するもの、（２）前記カバー本体の前記開閉部の開閉具を止水ファスナーなどのファスナーとし、このファスナーの下止から上止へ向かった場合にこの上止の先方に当たる前記カバー本体における適所に金属、合成樹脂、又は木材よりなるリングなどの貫通孔を有する部材を付設し、前記ファスナーを閉めた状態でこの貫通孔を有する部材と前記ファスナーのスライダーの引手部分の貫通孔又はこのスライダー若しくはこの引手部分に付設した前記貫通孔を有する部材とを南京錠などの錠前により着脱自在に締めて、前記開閉部を施錠可能としたもの、（３）前記開閉部を防水素材のシートよりなる比翼仕立にして前記開閉部を覆う場合に、この比翼仕立の周縁部にボタン受けを、その対面となる前記カバー本体の部分にその対のボタンを設けるか、又は前記周縁部内側及びその対面となる前記カバー本体の部分に面テープ、スナップ、若しくはホックを設けて前記開閉部を更に外側から開閉自在に締着するものなどである。
【００５０】
これにより、前記ヘルメット保護カバーはヘルメットがどんな位置で収納保管されていても何かの弾みで意図せず前記開閉部が開いてしまうといったことも少なくなり、更に前記開閉部を施錠可能とした場合には防犯性も増すことになった。
【００５１】
請求項２０に係る発明では、前記請求項１〜１９のいずれか１項に係るヘルメット保護カバーにおいて、前記カバー本体の前記開閉部の開閉具をファスナーとし、前記カバー本体における任意の箇所に貫通孔を有する部材を付設し、この貫通孔を有する部材と前記ファスナーのスライダーの引手部分の貫通孔又はこのスライダー若しくはこの引手部分に付設した貫通孔を有する部材とを錠前により着脱自在に締めて、前記開閉部を施錠可能としたことを特徴としている。
【００５２】
これは何かの弾みで前記開閉具に緩みが生じ前記開閉部が意図せず開いてしまうことを防ぐと共に、施錠可能とすることで防犯性を高めたもので、前記カバー本体の前記開閉部の開閉具を止水ファスナーなどのファスナーとし、このファスナーの下止から上止へ向かった場合にこの上止の先方に当たる前記カバー本体における適所に金属、合成樹脂、又は木材よりなるリングなどの貫通孔を有する部材を付設し、前記ファスナーを閉めた状態でこの貫通孔を有する部材と前記ファスナーのスライダーの引手部分の貫通孔又はこのスライダー若しくはこの引手部分に付設した前記貫通孔を有する部材とを南京錠などの錠前により着脱自在に締めて、前記開閉部を施錠可能としたものである。
【００５３】
これにより、このヘルメット保護カバーは前記開閉部が施錠可能となったので、ヘルメットがどんな位置で保管されていても何かの弾みで意図せず前記開閉部が開いてしまうといった心配もなくなり、防犯性も増すことになった。
【００５４】
請求項２１に係る発明では、前記請求項１〜２０のいずれか１項に係るヘルメット保護カバーにおいて、前記カバー本体の内側又は外側に、少なくとも該カバー本体を収納することが可能なポケットを設けたことを特徴としている。またこのポケットにはその入口を開閉するためのファスナー、面テープ、ボタン、スナップ、ホックなどの開閉手段が設けられることが望ましい。
【００５５】
これにより、このヘルメット保護カバーはコンパクトに収納可能となり、その携帯性が更に向上し、どこにでも気軽に持ち歩ける利点が増した。
【００５６】
請求項２２に係る発明では、前記請求項１〜２１のいずれか１項に係るヘルメット保護カバーにおいて、少なくとも前記カバー本体の表面に文字、数字、記号、彩色、図案、模様、紋様、デザイン、絵、ロゴマーク、キャラクターマスコット、写真プリントのうちの一つ若しくはいくつかが施されているか、又は広告宣伝用としての利用がなされていることを特徴としている。
【００５７】
これにより、オートバイ駐輪時の使用では、このヘルメット保護カバー表面の彩色、様々なデザイン性のある文字、数字、模様などの施しによりオートバイ自体をより引き立たせるし、使用していて楽しくもなる。また駐輪場に駐輪しているオートバイのサイドに吊り下げられたヘルメット保護カバーは多くの人達の目に触れることにもなるので、広告主は新たな広告宣伝用の露出媒体を得たことになる。事業所での使用では、このヘルメット保護カバーに或るグループ特有の文字、彩色、デザインなどを施すことにより、より一層識別性が向上し、これによりたとえ違った種類のヘルメットを同じ場所に並べて吊り下げておいても、前記ヘルメット保護カバーの中に収納することによりヘルメットの組織別又はグループ別の分別保管が可能となった。
【００５８】
請求項２３に係る発明では、前記請求項１〜７のいずれか１項に係るヘルメット保護カバーにおいて、前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体に蛇腹状箇所を設け、且つ前記連結体を外側から着脱自在に挟むことができる挟持具を設け、この挟持具により前記あご紐が前記連結体の中を通り該連結体の先端部から外に出ている状態で、前記連結体を外側から着脱自在に挟み固定し、更に前記カバー本体の内側又は外側に、少なくとも該カバー本体を収納することが可能なポケットを設けたことを特徴としている。
【００５９】
この請求項２３に係る発明により、収納保管しやすく、前記あご紐の長い短いを問わず対応可能で、挟持具により前記あご紐が前記連結体の中を通り該連結体の先端部から外に出ている状態で、前記連結体を外側から着脱自在に挟み固定することによりカバー本体内に雨水などが浸入しづらく、持ち運びや携帯に適したヘルメットカバーが提供できることになった。
【００６０】
請求項２４に係る発明では、前記請求項１〜７のいずれか１項に係るヘルメット保護カバーにおいて、前記カバー本体の前記開口部周縁の任意の箇所及び前記開口部周縁から外側に離れた任意の外周の箇所より連結された、前記ヘルメットのあご紐をこの中を通し外に出し入れ可能な中空部を持つ前記連結体に蛇腹状箇所を設け、且つ前記連結体を外側から着脱自在に挟むことができる挟持具を設け、この挟持具により前記あご紐が前記連結体の中を通り該連結体の先端部から外に出ている状態で、前記連結体を外側から着脱自在に挟み固定し、前記カバー本体の前記開閉部の開閉具をファスナーとし、前記カバー本体における任意の箇所に貫通孔を有する部材を付設し、この貫通孔を有する部材と前記ファスナーのスライダーの引手の貫通孔又はこのスライダー若しくはこの引手に付設した貫通孔を有する部材とを錠前により着脱自在に締めて、前記開閉部を施錠可能とし、更に前記カバー本体の内側又は外側に、少なくとも該カバー本体を収納することが可能なポケットを設けたことを特徴としている。
【００６１】
この請求項２４に係る発明により、収納保管しやすく、前記あご紐の長い短いを問わず対応可能で、挟持具により前記あご紐が前記連結体の中を通り該連結体の先端部から外に出ている状態で、前記連結体を外側から着脱自在に挟み固定することによりカバー本体内に雨水などが浸入しづらく、カバー本体の前記開閉部が不用意に開いてしまうことを防ぎ、防犯性も高めて、更に持ち運びや携帯に適したヘルメットカバーが提供できることになった。
【００６２】
以上課題を解決するための各手段につき述べてきたが、これらすべての場合において、ヘルメットのあご紐はＤリング又はワンタッチバックルが付いているものでも、Ｄリングとワンタッチバックルの両方が付いているものでもかまわないし、またＤリングが付いている場合であればＤリングによりホルダー又はフックに吊り下げてヘルメットを保管してもかまわない。また本発明の前記ヘルメット保護カバーのこれまでの説明にあたり、前記あご紐をホルダー又はフックに引っ掛けることにより前記ヘルメットの吊り下げ保管することを前提とする記述としてきたが、この他にも前記あご紐を引っ掛けることができる突角のある部材等の様々なものに前記あご紐を引っ掛けて吊り下げることにより前記ヘルメットを収納保管する場合も勿論含むものである。
【発明の効果】
【００６３】
以上の説明から明らかなように、本発明にあっては次の効果が得られる。
【００６４】
本発明のヘルメット保護カバーは、重量の重いヘルメット自体はこのヘルメットに付設のあご紐をホルダー又はフックに引っ掛けて吊り下げることにより保持し、このヘルメット保護カバー自体はこの吊り下げられたヘルメットの上に乗っている状態で、防水素材のシートなどで覆うことにより収納保管中のヘルメットを降雨、砂塵、ホコリなどから保護する方式とした。
【００６５】
これによって、簡単な構造と薄く軽い防水素材のシートと開閉部での軽量な開閉具などによる大変シンプルな構成とにより、軽量で、使用時にセットし易く、未使用時には折りたたんでも嵩張らず収納性、携帯性に優れ、手軽に持ち歩け、且つ製造した場合にも所要製造工程が少なくて済むヘルメットの保護カバーとして提供することができることになった。
【発明を実施するための最良の形態】
【００６６】
以下、本発明のヘルメット保護カバーの実施の形態を図面に基づき詳細に説明する。
【００６７】
図１〜図５は第１〜５それぞれの発明の実施の形態の基礎となる構成の斜視図、正面図、側面図、上面図、底面図であり、図６は第１〜５それぞれの実施の形態の基礎となる構成のオートバイ用ヘルメットでの使用時の透視斜視図で、図７は第１〜５それぞれの実施の形態の基礎となる構成の保安用ヘルメットでの使用時の透視斜視図である。図８は第２の実施の形態の基礎となる構成と特徴を示す斜視図であり、図９は第３の実施の形態の基礎となる構成と特徴を示す斜視図で、図１０〜図１２は第１〜５のいずれか一つの実施の形態の斜視図、正面図、側面図である。図１３、図１４はそれぞれ第１、第４、又は第５の実施の形態の上面図、底面図であり、図１５は第１、第４、又は第５の実施の形態の透視斜視図で、図１６は第１、第４、又は第５の実施の形態のオートバイ用ヘルメットでの使用時の透視斜視図である。図１７は第１、第４、又は第５の実施の形態の保安用ヘルメットでの使用時の透視斜視図であり、図１８は第５の実施の形態の透視斜視図で、図１９は第６〜８のいずれか一つの実施の形態のオートバイ用ヘルメットでの使用時の透視斜視図である。図２０は第９の実施の形態のオートバイ用ヘルメットでの使用時の透視斜視図であり、図２１は第１０又は第１１の実施の形態の斜視図で、図２２は第１０又は第１２の実施の形態の斜視図である。図２３は第１０又は第１３の実施の形態の斜視図であり、図２４は第１４の実施の形態の部分拡大透視斜視図で、図２５は第１４の実施の形態の透視斜視図である。図２６は第１５の実施の形態の透視斜視図であり、図２７は第１６の実施の形態の部分拡大斜視図で、図２８は第１６の実施の形態の斜視図である。図２９は第１７又は第１８の実施の形態のオートバイ用ヘルメットでの使用時の透視斜視図であり、図３０は第１９の実施の形態の斜視図で、図３１は第１９又は第２０の実施の形態の斜視図である。図３２は第２１の実施の形態の透視斜視図であり、図３３は第２２の実施の形態の使用時での斜視図で、図３４は第２３の実施の形態即ち第１〜第５のいずれか一つの実施の形態を基本として第６〜８のいずれか一つの実施の形態と第９の実施の形態と第２１の実施の形態とを組み合わせた新たな形態の使用時での透視斜視図である。図３５は第２４の実施の形態即ち第１〜第５のいずれか一つの実施の形態を基本として第６〜８のいずれか一つの実施の形態と第９の実施の形態と第１９又は第２０の実施の形態と第２１の実施の形態とを組み合わせた新たな形態の使用時での透視斜視図であり、図３６は第１〜第５のいずれか一つの実施の形態のオートバイ駐輪時使用での遠景斜視図で、図３７は第１〜第５のいずれか一つの実施の形態の事業所での使用の遠景斜視図である。図３８はオートバイ駐輪時使用での従来技術としてのヘルメット保護袋の斜視図である。
【００６８】
第1〜５のそれぞれの実施の形態の基礎となる構成につき図１〜図７により説明する。斜視図である図１に示すように、ヘルメットを包む袋状の防水素材のシートよりなるカバー本体1の任意の場所に、ヘルメットのあご紐を前記カバー本体の中（内側）から外に出し入れできる開口部６３を設け、更にこのカバー本体1にあってこの開口部６３とは別の場所に前記ヘルメットを前記カバー本体の中（内側）に出し入れ可能な幅で切り開かれ、開閉具により開閉自在となった開閉部３（図１では閉じた状態）を設けることにより本発明のヘルメット保護カバーの基礎の部分を構成している。勿論この場合、前記あご紐はＤリング又はワンタッチバックルが付いているものでも、Ｄリングとワンタッチバックルの両方が付いているものでもかまわないし、またＤリングが付いている場合であればＤリングによりヘルメットホルダーを含めたホルダー又はフックに吊り下げてヘルメットを保管してもかまわない。
【００６９】
この本発明の基礎部分を構成するカバー本体１は防水素材のシートにより作られるが、その防水素材のシートとは、通常雨具等に使用され得る実質的に水を透さないシート状の材料をいう。例えばポリエステル、ナイロン等の合成繊維に防水又は撥水加工を施したもの、ポリ塩化ビニール、ポリエチレン等の合成樹脂製のシート又はフィルム、ゴム引き地などの防水加工を施した布、耐水紙などの耐水性の有る紙などを使用することが出来るし、また透湿防水素材のもの等、雨具に使用するに好適な種々の材料を使用することができる。
【００７０】
前記カバー本体１は、図１で一例として示された縫い目４のような形に裁断された防水素材のシートがポリエステル、ナイロン等の合成繊維に防水若しくは撥水加工を施したもの、又はポリエチレン等の合成樹脂製のシート若しくはフィルムなどの場合であれば縫製により製作してもよいし、ポリ塩化ビニール素材の場合であればウェルダーミシンによる溶着などにより製作してもよく、また耐水紙の場合であれば耐水性を持ち高粘度の酢ビ系糊を使った接着により製作してもよいし、エチレン等の熱可塑性樹脂をラミネートさせたラミネート紙の場合であればヒートシールによる熱圧着により製作してもよい。縫製による製作の場合であれば、好適には縫い合わせ部分にシーミングテープを巻き込んで、アイロンにより熱圧着しておくことが防水性をより高めるために望ましいし、またポリ塩化ビニール素材のシート又はフィルムの場合であれば、その素材表面にエンボス加工がなされ、このポリ塩化ビニール素材のシート又はフィルムと収納保管するヘルメットとが引っ付きにくくなっていることが望ましい。
【００７１】
開閉部３の開閉具には、ファスナーが利用され得るが、該開閉部３に打合い（重ね合わせ）部分を設ければ、面テープ、ボタン、スナップ、ホックなども使用され得る。好適にはファスナーであれば止水ファスナーが望ましいし、止水ファスナー以外のファスナー、面テープ、ボタン、スナップ、ホックなどが使用される場合であれば前記開閉部３が防水素材のシートよりなる比翼仕立になっていて、そこに面テープなどを設けて比翼仕立になっている部分を開閉自在に締着できるものとすることが望ましい。
【００７２】
図２〜図５は開閉部３が開いた状態での前記カバー本体１のそれぞれ正面図、側面図、上面図、底面図である。
【００７３】
図６は、オートバイ駐輪時に前記カバー本体１よりなるヘルメット保護カバーを使用した状態での透視斜視図である。オートバイ用ヘルメット本体５を前記ヘルメット保護カバーの中に収納する際は、オートバイ用ヘルメット本体５より伸びているあご紐６を開口部６３から外に出した後、あご紐６に付設されているＤリング７をオートバイに設けられているヘルメットホルダー８に吊り下げ施錠し、その後開閉部３の止水ファスナーを閉めてヘルメットの収納保管セットが完了する。勿論ヘルメットの収納保管セットの手順はこれに限らないし、ヘルメットホルダー８ではなくフックが設置されている場合にはフックに吊り下げてもよいし、ヘルメットホルダー８又はフックにはＤリング７の付いていないあご紐６により吊り下げてもよい。また開閉部３の開閉具は止水ファスナーに限るものではない。
【００７４】
図６では本発明の基礎部分を構成するカバー本体１よりなるヘルメット保護カバーの使用の一例として、第１〜５のいずれか一つの実施の形態の基礎となる構成について説明しているが、前記ヘルメット保護カバーのオートバイ用ヘルメットへの使用の範囲はこの駐輪時に限るものではなく、オートバイの側面に付設されているヘルメットホルダー８以外の壁面等に設置されたホルダー又はフックなどにオートバイ用ヘルメットを吊り下げて収納保管する場合などにも広く使用できる。
【００７５】
図７は本発明の基礎部分を構成するカバー本体１よりなるヘルメット保護カバーの事業所での使用時のもので、保安用ヘルメットに前記ヘルメット保護カバーを使用した状態での透視斜視図である。保安用ヘルメット本体９を前記ヘルメット保護カバーの中に収納保管する際は、保安用ヘルメット本体９より伸びているあご紐６を開口部６３から外に出した後、あご紐６により壁面等に設けられているフック１０に吊り下げ、その後開閉部３の止水ファスナーを閉めて収納保管の取り付けが完了する。勿論収納保管セットの手順はこれに限らないし、フック１０だけでなくホルダーに吊り下げてもよいし、ホルダー又はフック１０にはあご紐６に付設されているＤリング７により吊り下げてもよい。勿論開閉部３の開閉具は止水ファスナーに限るものではないし、保安用ヘルメットだけでなく一般家庭での防災用ヘルメットに使用されてもよい。
【００７６】
図８は第２の実施の形態の基礎部分を構成するカバー本体１（これは第１の実施の形態と同じ）と第２の実施の形態特有の新たな特徴を示した斜視図である。これは第１の実施の形態の基礎部分を構成するカバー本体１よりなるヘルメット保護カバーの開口部６３を広く取り、その内側を防水性の有る伸縮性素材の幕１１で覆い、この幕１１のほぼ中心部にヘルメットのあご紐６を該幕１１自体の素材の伸縮により前記カバー本体１の外に出し入れ可能とする貫通孔１２を設けたものである。これによりヘルメットのあご紐６の開口部６３からの出し入れが容易で、且つ前記幕１１の素材の伸縮性により前記貫通孔１２とヘルメットのあご紐６との隙間が少ないものとなり、防水性、気密性の高いヘルメット保護カバーとなっている。この防水性の有る伸縮性素材とはクロロピレンゴム、エチレン・プロピレンゴムなどの伸縮性と耐候性の有るゴムである。またこの場合、前記カバー本体の前記開口部６３とこの防水性の有る伸縮性素材の幕の間に、平ワッシャー状の板をかまして用いても構わない。これにより補強されるので前記開口部６３周辺の強度も増し、該開口部６３への前記あご紐６の通過もスムースに行える。
【００７７】
図９は第３の実施の形態の基礎部分を構成するカバー本体１（これは第１の実施の形態と同じ）と第３の実施の形態特有の新たな特徴を示した斜視図である。これは第１の実施の形態の基礎部分を構成するカバー本体１よりなるヘルメット保護カバーの前記開口部６３に、該カバー本体の中より該開口部６３を通じて前記カバー本体１の外に出ている前記ヘルメットのあご紐６が開閉の妨げにならない程度の大きさで周縁の任意の箇所よりその内側にかけての開口４５を持つキャップ蓋６４を有する開閉自在の合成樹脂よりなるキャップ４６を設けたものである。勿論このキャップ蓋６４と共にその対となる合成樹脂よりなるキャップの受け４７を設け、ヒンジ部４８により開閉させるものでもよいし、このキャップの受け４７の部分に溝を利用したスライドできるレール機構を設け、キャップ蓋６４をキャップの受け４７に対し水平にスライドさせて前記開口部６３を開閉するなどの別方式のものでもよい。このキャップ蓋６４及びキャップの受け４７を更に場合によってはヒンジ部４８をも加えてもってなるキャップ４６の素材としてはこの合成樹脂の他にゴム、金属、又は木材が使用し得る。この素材が金属及び木材の場合であれば、それぞれ塗装されたものでもよい。
【００７８】
この場合、まずキャップ４６のキャップ蓋６４を開け、カバー本体の中に入っているヘルメットの前記あご紐６をキャップ４６の開いている口を通してカバー本体の外に引き出し、その後前記あご紐６をキャップ蓋６４の開口４５の隙間に入れ込むようにしながらキャップ蓋６４を閉める。そして前記あご紐６をオートバイに設けられているヘルメットホルダー又はフックに吊り下げて、開閉部３を閉じて収納保管が完了する。
【００７９】
これにより第３の実施の形態の基礎部分を構成するカバー本体１（これは第１の実施の形態と同じ）と第３の実施の形態特有の新たな特徴有するヘルメット保護カバーは、前記開口部６３に設けられた前記キャップ４６を閉めた時のキャップ蓋６４の前記開口４５とヘルメットのあご紐６との隙間が小さいものであるために、前記開口部６３における防水性、気密性が高まり、前記ヘルメット保護カバー内部への雨水、砂塵、ホコリの侵入をより防ぐことが可能となっている。
【００８０】
第１〜５のいずれか一つの実施の形態につき図１０〜図１７により説明する。これは斜視図である図１０、図１５に示すように、前記基礎部分を構成するカバー本体１よりなるヘルメット保護カバーにおいて、更にカバー本体１の前記開口部周縁２の任意の箇所及び前記開口部周縁から外側に離れた任意の外周の箇所６５より外側に向けて連結された、ヘルメットのあご紐６をこの中を通し外に出し入れ可能な中空部３０を持つ連結体３１を設けたものである（第１の実施の形態）。この第１の実施の形態のヘルメット保護カバーの前記開口部６３を防水性の有る伸縮性素材の幕１１で覆い、この幕のほぼ中心部に前記ヘルメットのあご紐をその素材の伸縮により前記カバー本体の中から外に出し入れ可能な貫通孔１２を設けたものが第２の実施の形態であり、第１の実施の形態のヘルメット保護カバーの前記開口部６３に前記カバー本体１の中より該開口部６３を通じて該カバー本体１の外に出ている前記ヘルメットのあご紐６が開閉の妨げにならない程度の大きさの周縁の任意の箇所よりその内側にかけての開口４５を持つ開閉自在のキャップ４６を設けたものが第３の実施の形態である。また第１〜３のいずれか一つの実施の形態のヘルメット保護カバーにおいて、前記連結体３１が防水素材のシートよりなること特徴としているのが第４の実施の形態であり、前記連結体３１が防水性の有る伸縮性素材よりなることを特徴としているのが第５の実施の形態である。
【００８１】
オートバイ用ヘルメット本体５を第１〜５のいずれか一つの実施の形態のヘルメット保護カバーの中に収納する際は、オートバイ用ヘルメット本体５より伸びているあご紐６を前記開口部６３及び前記連結体３１から外に出した後、あご紐６に付設されているＤリング７をオートバイに設けられているヘルメットホルダー８に吊り下げ施錠し、その後開閉部３の止水ファスナーを閉めてヘルメットの収納保管セットが完了する。保管解除の手順はこの逆でよい。勿論ヘルメットの収納保管セットと保管解除の手順はこれに限らない。この収納保管セットと保管解除の際、第２の実施の形態の場合であれば、あご紐６は前記防水性の有る伸縮性素材の幕１１の貫通孔１２を通過するし、第３の実施の形態の場合であれば、あご紐６は前記キャップ４６部分を通過する。またヘルメットホルダー８ではなくフックが設置されている場合にはフックに吊り下げてもよいし、ヘルメットホルダー８又はフックにはＤリング７の付いていないあご紐６により吊り下げてもよい。また開閉部３の開閉具は止水ファスナーに限るものではない。
【００８２】
保安用ヘルメット本体９を第１〜５のいずれか一つの実施の形態のヘルメット保護カバーの中に収納保管する際は、保安用ヘルメット本体９より伸びているあご紐６を開口部６３及び前記連結体３１から外に出した後、あご紐６により壁面等に設けられているフック１０に吊り下げ、その後開閉部３の止水ファスナーを閉めて収納保管の取り付けが完了する。保管解除の手順はこの逆でよい。勿論収納保管セットと保管解除の手順はこれに限らない。この収納保管セットと保管解除の際、第２の実施の形態の場合であれば、あご紐６は前記防水性の有る伸縮性素材の幕１１の貫通孔１２を通過するし、第３の実施の形態の場合であれば、あご紐６は前記キャップ４６部分を通過する。またフック１０だけでなくホルダーに吊り下げてもよいし、ホルダー又はフック１０にはあご紐６に付設されているＤリング７により吊り下げてもよい。勿論開閉部３の開閉具は止水ファスナーに限るものではないし、保安用ヘルメットだけでなく一般家庭での防災用ヘルメットに使用されてもよい。
【００８３】
図１１〜図１２は第１〜第５のいずれか一つの実施の形態の開閉部３が開いた状態でのそれぞれ正面図、側面図である。
【００８４】
図１３〜図１４は第１、第４、又は第５の実施の形態の開閉部３が開いた状態でのそれぞれ上面図、底面図である。
【００８５】
図１５は第１、第４、又は第５の実施の形態を示す透視斜視図である。本発明の基礎部分を構成する前記カバー本体１に、更に前記開口部周縁２の任意の箇所及び前記開口部周縁２から外側に離れた任意の外周の箇所６５より連結された、前記ヘルメットのあご紐６をこの中を通し外に出し入れ可能な中空部を持つ連結体３１が設けられたことが示されている。
【００８６】
図１６は、オートバイ駐輪時に第１、第４、又は第５の実施の形態のヘルメット保護カバーを使用した状態での透視斜視図である。オートバイ用ヘルメット本体５を前記ヘルメット保護カバーの中に収納保管する際は、オートバイ用ヘルメット本体５より伸びているあご紐６を前記連結体３１の中を通し外に出した後、あご紐６に付設されているＤリング７をオートバイの側面に設けられているヘルメットホルダー８に吊り下げ施錠し、その後開閉部３の止水ファスナーを閉めて収納保管セットが完了する。勿論ヘルメットの収納保管セットの手順はこれに限らないし、ヘルメットホルダー８ではなくフック１０が設置されている場合にはフック１０に吊り下げてもよいし、ヘルメットホルダー８又はフック１０にはＤリング７の付いていないあご紐６だけのものにより吊り下げてもよい。また開閉部３の開閉具は止水ファスナーに限るものではない。
【００８７】
図１６では第１、第４、又は第５の実施の形態のヘルメット保護カバーの使用の一例を示しているが、本発明のヘルメット保護カバーのオートバイ用ヘルメットへの使用の範囲はこの駐輪時に限るものではなく、オートバイの側面に付設されているヘルメットホルダー８以外の壁面等に設置されたホルダー又はフック１０などにオートバイ用ヘルメットを吊り下げて保管する場合などにも広く使用できる。
【００８８】
図１７は第１、第４、又は第５の実施の形態のヘルメット保護カバーを事業所で保安用ヘルメットに使用した状態での透視斜視図である。保安用ヘルメット本体９を前記ヘルメット保護カバーの中に収納保管する際は、保安用ヘルメット本体９より伸びているあご紐６を前記連結体３１の中を通し外に出した後、あご紐６を壁面等に設けられているフック１０に吊り下げ、その後開閉部３の止水ファスナーを閉めて保管取り付けが完了する。勿論ヘルメットの収納保管セットの方法、手順はこれに限らないし、開閉部３の開閉具も止水ファスナーに限らない。また保安用ヘルメットだけでなく一般家庭での防災用ヘルメットに使用されてもよい。
【００８９】
図１８は第５の実施の形態の透視斜視図である。この第５の実施の形態の発明のヘルメット保護カバーは、前記連結体３１の素材が防水性の有る伸縮性素材であるため、前記連結体３１の形状を根元が太く先が細くなるスカート形状にし、その先端の開口の大きさをこの素材の持つ伸縮性を利用することにより前記あご紐６を前記連結体３１の中を通し外に出し入れできて、且つ前記あご紐６が前記連結体３１の中を通り外に出た状態の時に前記連結体３１の先端の前記開口が前記あご紐６を挟み銜えることが可能な大きさにすることができるものである。これにより前記あご紐６による前記連結体３１の中での通過がスムースとなり収納保管セットもし易く、且つ前記連結体３１とヘルメットの前記あご紐６との隙間を減らすことができるので、このヘルメット保護カバーの防水性、気密性をより高めることができる。
【００９０】
図１９は第６〜８のいずれか一つの実施の形態のヘルメット保護カバーのオートバイ駐輪時の使用での透視斜視図であり、第６の実施の形態については前記第１〜５のいずれか一つの実施の形態におけるヘルメット保護カバーにおいて、第７の実施の形態については前記第１〜６のいずれか一つの実施の形態におけるヘルメット保護カバーにおいて、また第８の実施の形態については前記第１〜７のいずれか一つの実施の形態におけるヘルメット保護カバーにおいて、前記連結体３１を外側から挟持具３２により着脱自在に挟んだものである。好適には前記挟持具３２により前記連結体３１を外側から挟む際は、前記連結体３１の先端部に何らかの手段又は部材を設けた場合を除き、前記連結体３１の該先端部を挟み固定することが望ましい。また前記挟持具３２は好適にはピンチを使用するが、クリップなど挟めるものなら様々なものでよく、また前記挟持具３２にピンチ、クリップなどを使用する場合、該挟持具３２とカバー本体１又は前記連結体３１とを連結紐２９、帯、又は鎖で連結させて紛失しにくくしておいてもよいし、連結させずに前記挟持具３２を単独にしておいて前記ヘルメット保護カバーの付属品として提供するものでもよい。
【００９１】
これにより、ヘルメットを前記ヘルメット保護カバーの中に収納保管する際には、前記連結体３１の中を前記あご紐６が通り易いように前記開口部６３及び前記連結体３１の内寸をある程度広く確保してたとえ大きめのワンタッチバックル付きのあご紐６であっても収納保管セットし易くしておいて、収納保管セット後には前記連結体３１を挟持具３２で挟み固定ことで該連結体３１の先端部での該連結体３１とヘルメットのあご紐６との隙間を減らすことができるので、前記あご紐６への雨水のしみ込み、垂れ下がりなどが減ると共に前記連結体３１の先端の開口への雨水の浸入も減り、ヘルメット保護カバーの防水性、気密性も高まって、該ヘルメット保護カバー内部への雨水、砂塵、ホコリの侵入をより防ぐことが可能となった。またこれにより、ヘルメットを吊り下げ収納保管する際に前記連結体３１の先端部をこのヘルメットのあご紐６のできるだけ上の部分で固定することができることになったし、前記連結体３１が自然にずり下がっていくことを防ぐこともできるようになったので、前記連結体３１により覆われ保護される範囲が大きくなり前記あご紐６への雨水のしみ込みも減り、該ヘルメット保護カバー内部への雨水などの侵入をより防ぐことが可能となった。
【００９２】
更にヘルメットを前記あご紐６に付設されているＤリング７によりヘルメットホルダー８又はフック１０に吊り下げて収納保管するのではなく、前記ヘルメットの両サイドより伸びている２本の前記あご紐６同士を結び付けて、この結び付けられ１本に繋がれた状態の前記あご紐６によりヘルメットホルダー８又はフック１０に吊り下げてヘルメットを収納保管する場合もあり、この場合には吊り下げられヘルメットホルダー８又はフック１０から垂れ下がる２本に分かれている前記あご紐６同士が該あご紐６の付け根に当たる前記ヘルメットの両サイド間の距離がヘルメットホルダー８又はフック１０における前記あご紐６との接触面以上の長さとなるために下にさがるに従いだんだん広がり離れていくことになり、この広がり離れていく力が前記連結体３１を内側から圧迫することになるが、前記挟持具３２で前記連結体３１を強い力で挟み固定することにより前記広がり離れていく力の圧迫による前記連結体３１の素材の劣化を防ぐことができる。
【００９３】
図２０は第９の実施の形態のオートバイ駐輪時の使用での透視斜視図であり、前記第１〜８のいずれか一つの実施の形態のヘルメット保護カバーにおいて、前記連結体３１に新たに蛇腹状箇所３３を設けたものである。前記連結体３１にこの蛇腹状箇所３３を設ける場合、好適には該連結体３１の付け根の部分と先端部との間の中間部分を蛇腹状とすることが望ましいが、該連結体３１の全てを蛇腹状としても、該連結体３１の付け根の部分以外を蛇腹状としても、該連結体３１の先端部以外の部分を蛇腹状としても、また該連結体３１の付け根から先端部への途中の複数部分を蛇腹状とするものでもよい。
【００９４】
これにより、個々のヘルメットのあご紐６に長い、短いの違いがあっても前記連結体３１が伸縮機構を持つことになったので、このヘルメット保護カバーは収納保管のための取り付けセットする時に、吊り下げられた前記あご紐６が短い場合には前記蛇腹状箇所３３を縮め、逆に長い場合には前記蛇腹状箇所３３を伸ばすことにより、ヘルメットの前記あご紐６の長さに対し許容範囲の広い対応が可能となった。またこの伸縮機構により、ヘルメットの収納保管で前記連結体３１を前記挟持具３２で挟む際などで、該連結体３１を上に長く伸ばすことで該連結体３１の先端部をこのヘルメットのあご紐６のできるだけ上の部分で挟み固定することができることになったので、前記連結体３１により前記あご紐６を保護できる範囲も大きくなり前記あご紐６への雨水のしみ込みが減って、このヘルメット保護カバー内部への雨水の侵入をより防ぐことが可能となった。
【００９５】
図２１は第１０又は第１１の実施の形態の発明の、図２２は第１０又は第１２の実施の形態の発明の、そして図２３は第１０又は第１３の実施の形態の発明のそれぞれ前記ヘルメット保護カバーの斜視図であり、前記第１〜９のいずれか一つの実施の形態におけるヘルメット保護カバーにおいて、前記カバー本体１の前記開口部周縁２の任意の箇所及び前記開口部周縁２から外側に離れた任意の外周の箇所６５より外側に向けて連結された前記連結体３１に、該連結体３１自体を開閉自在に縮め締めることができる締着手段を設けたものの一例をそれぞれ示したものである。この第１０の実施の形態の発明の前記ヘルメット保護カバーとは、例えば（１）図２１で示したような前記カバー本体１の前記開口部周縁２の任意の箇所及び前記開口部周縁２から外側に離れた任意の外周の箇所６５より連結された、前記ヘルメットのあご紐６をこの中を通しヘルメットカバーの外に出し入れ可能な中空部を持つ前記連結体３１を結わくことにより縮め締めることができる紐３８又は帯を前記カバー本体１又は前記連結体３１の任意の箇所に設け、これを開閉自在の締着手段として前記連結体３１を開閉自在として、前記あご紐６が通過している前記連結体３１を紐３８又は帯で縮め締めることにより前記連結体３１と前記あご紐６との隙間を少なくしてヘルメット保護カバー内部への雨水などの侵入をより防ぐもの（第１１の実施の形態でもある）とか、（2）図２２で示した前記連結体３１の適所に表面３４のほぼ全てに面テープ１６を設け裏面３５の先端部にフックとループにおける対の面テープ１６を設けた帯３６の根元の一端３７を縫着し、この帯３６を巻き締めて該帯３６に設けてあるこの面テープ１６により前記連結体３１自体を開閉自在に捲着することにより前記連結体３１と前記あご紐６との隙間を少なくしてヘルメット保護カバー内部への雨水などの侵入をより防ぐもの（第１２の実施の形態でもある）とか（勿論前記帯３６の裏面３５のほぼ全てにフックとループにおける対の面テープ１６を設けたものでもよいし、フックとループを裏表に併せ持った両面タイプの面テープ自体の一端を前記連結体３１の適所に縫着して設けるものでもよい）、（３）前記帯３６により捲着する手段としての面テープ１６に変えてボタン、スナップなどを用いたものであるとか、（４）巾着のように前記連結体３１の先端の開口を紐３８又は帯でくくり、すなわち前記連結体３１の先端の開口周縁に任意の一部分を除いて筒状部を形成し、この筒状部の中に紐３８又は帯を通して、該筒状部の二つの口からそれぞれ外に出ているこの紐３８若しくは帯を縮め結わくこと又は該紐３８若しくは帯を緩め解くことにより前記連結体３１の先端の開口を開閉自在に締着することにより、前記連結体３１と前記あご紐６との隙間を少なくしてヘルメット保護カバー内部への雨水などの侵入をより防ぐもの（第１３の実施の形態でもある）などである。
【００９６】
上記（１）即ち第１１の実施の形態の場合であれば、好適には前記連結体３１の先端部に何らかの手段又は部材を設けた場合を除き、前記連結体３１を結わくことにより縮め締めることができる紐３８又は帯の片端を該連結体３１の先端近くに縫着などにより設け、紐３８又は帯により前記連結体３１の先端近くを縮め締めることが望ましい。上記（２）即ち第１２の実施の形態の場合であれば、好適には前記連結体３１の先端部に何らかの手段又は部材を設けた場合を除き、この帯３６の根元の一端３７を該連結体３１の先端近くに縫着などにより設け、前記帯３６により前記連結体３１の先端近くを巻き締め、該帯３６の表面３４と裏面３５に設けられた面テープ１６などにより前記連結体３１の先端部を締着することが望ましい。
【００９７】
これらの第１０〜１３のいずれか一つの実施の形態の場合であれば、大変楽にヘルメットを吊り下げ収納保管のセットができる一体型のシンプルな構造でありながら、前記連結体３１と前記ヘルメットのあご紐６との隙間を減らすことができるので、防水性、気密性に優れたヘルメット保護カバーとなった。
【００９８】
図２３は第１０又は第１３の実施の形態の発明の前記ヘルメット保護カバーの斜視図であり、前記第１〜９のいずれか一つの実施の形態におけるヘルメット保護カバーにおいて、前記カバー本体１の前記開口部周縁２の任意の箇所及び前記開口部周縁２から外側に離れた任意の外周の箇所６５より連結された、前記ヘルメットのあご紐６をこの中を通し外に出し入れ可能な中空部３０を持つ前記連結体３１の先端の開口を紐３８でくくり、これを開閉自在の締着手段として前記連結体３１の先端の開口を開閉自在としたものである。これは巾着のように前記連結体３１の先端の開口周縁に任意の一部分を除いて筒状部３９を形成し、この筒状部３９の中に紐３８を通して、該筒状部３９の二つの各口４０からそれぞれ外に出ているこの紐３８を縮め結わくこと又は該紐３８を緩め解くことにより前記連結体３１の先端の開口を開閉自在に締着するものである。勿論この場合紐３８にかえて帯を使用してもよい。
【００９９】
これにより大変楽にヘルメットを吊り下げ収納保管のセットができる一体型のシンプルな構造でありながら、前記連結体３１の先端の開口にくくられた前記紐３８又は帯を開閉自在に縮め結わくことにより前記連結体３１と前記ヘルメットのあご紐６との隙間を減らすことができるので、防水性、気密性に優れたヘルメット保護カバーとなった。
【０１００】
図２４、図２５はそれぞれ第１４の実施の形態の前記ヘルメット保護カバーの部分拡大透視斜視図、透視斜視図である。この第１４の実施の形態は図２４及び図２５に示すように、前記第１〜１３のいずれか一つの実施の形態におけるヘルメット保護カバーにおいて、前記カバー本体１の前記開口部周縁２の任意の箇所及び前記開口部周縁２から外側に離れた任意の外周の箇所６５より外側に向けて連結された、前記ヘルメットのあご紐６をこの中を通し外に出し入れ可能な中空部３０を持つ前記連結体３１に内ひだ４１を設けたことを特徴としている。これは前記連結体３１の先端の開口周縁の一部を内ひだ４１とし、この内ひだ４１を前記連結体３１の付け根４２に至る少し手前まで延長させて設けたもので、その延長させて設ける際は前記連結体３１の先端の開口周縁の一部から前記付け根４２に至る少し手前となる前記延長の終着点にかけて徐々に前記内ひだ４１の幅を狭めていき、この終着点となるダーツ止まりの箇所４３では前記内ひだ４１は無くなりそこで縫いくくられているものある。勿論前記内ひだ４１を前記連結体３１の付け根４２に至る少し手前までより更に延長させ、前記連結体３１の付け根４２まで延長させて設けて、ここをダーツ止まりの箇所４３として該ダーツ止まりの箇所４３を縫いくくるものでもかまわない。またこの場合、内ひだ４１のかわりに外ひだを設けるものでもかまわない。
【０１０１】
この内ひだ４１の製作処理及びこのダーツ止まりのくくり処理を行う方法は、縫着に限らず溶着であっても、前記連結体３１との一括での一体成形処理によるものでもかまわない。また内ひだ４１を設けた前記連結体３１のダーツ止まりの箇所４３は縫着などにより隙間なく塞がれるものなので、内ひだ４１を設けたとはいえ前記連結体３１及び前記カバー本体１に雨水などの浸入をもたらす覆いの切れ目、部分的な欠落を新たに生じさせるものではない。
【０１０２】
前記内ひだ４１を設ける場合、好適には内ひだ４１を前記連結体３１の先端の開口周縁の一部から付け根４２に至る少し手前までとして延長させて設け、残った前記連結体３１の付け根４２とこの付け根４２に至る少し手前までの間、即ち内ひだ４１のない部分に蛇腹状箇所３３を設け、前記連結体３１に伸縮機構を持たせることで長いあご紐６から短いあご紐６までの様々なあご紐６を持つヘルメットへの幅広い対応が可能なヘルメット保護カバーとすることが望ましい。
【０１０３】
これによりヘルメットを吊り下げ収納保管するためヘルメットを前記ヘルメット保護カバーに収納保管セットする際の前記挟持具３２により中に前記あご紐６が通っている前記連結体３１を外側から挟み固定する時に、前記あご紐６を内ひだ４１にあてがうとこの内ひだ４１が一つの支え、ガイドとなり、前記あご６を包みながら隙間少なく前記連結体３１を嵩張らずきれいに折り畳めることができることになるので、前記挟持具３２によりしっかりと前記連結体３１を挟み固定することができることになった。またヘルメットを前記ヘルメット保護カバーに収納保管セットする際の前記あご紐６を前記カバー本体１の開口部６３から前記連結体３１の中を通して該連結体３１の外に引き出す時に、内ひだ４１を外側に引き開き該連結体３１の内寸を一時的に広げ、その広がっている該連結体３１の中に手又は指を入れて前記あご紐６を引っ張り出すことにより、容易に該あご紐６を前記連結体３１の外に出すことができることになった。
【０１０４】
図２６は第１５の実施の形態の発明の前記ヘルメット保護カバーの透視斜視図であり、前記第１〜１０のいずれか一つの実施の形態におけるヘルメット保護カバーにおいて、前記カバー本体１の前記開口部周縁２の任意の箇所及び前記開口部周縁２から外側に離れた任意の外周の箇所６５より外側に向けて連結された、前記ヘルメットのあご紐６をこの中を通し外に出し入れ可能な中空部３０を持つ前記連結体３１の先端周縁部に伸縮部材４４を組み込んだものである。この伸縮部材４４とは天然ゴムの芯ゴムにカーボンを混ぜて耐久性を強化し、ポリエステルの皮糸で組んだアウトドア用のゴムロープなどの丸ゴム紐である。この場合前記連結体３１の形状を根元が太く先が細くなるスカート形状にし、この伸縮部材４４を組み込んだ先端部の開口の大きさをこの素材の持つ伸縮性を利用することにより前記あご紐６を前記連結体３１の中を通し外に出し入れできて、且つ前記あご紐６が前記連結体３１の中を通り外に出た状態の時に前記連結体３１の先端の前記開口が前記あご紐６をちょうど挟み銜えることができる大きさにすることが望ましい。
【０１０５】
これにより大変楽にヘルメットを吊り下げ収納保管のセットができる一体型のシンプルな構造でありながら、前記連結体３１と前記ヘルメットのあご紐６との隙間を減らすことができるので、防水性、気密性に優れたヘルメット保護カバーとなった。
【０１０６】
図２７、図２８はそれぞれ第１６の実施の形態の前記ヘルメット保護カバーの部分拡大斜視図、斜視図である。この第１６の実施の形態は部分拡大斜視図である図２７に示すように、前記第１〜１０のいずれか一つの実施の形態におけるヘルメット保護カバーにおいて、前記カバー本体１の前記開口部周縁２の任意の箇所及び前記開口部周縁２から外側に離れた任意の外周の箇所６５より外側に向けて連結された、前記ヘルメットのあご紐６をこの中を通し外に出し入れ可能な中空部３０を持つ前記連結体３１の先端部に、該連結体３１の中を通り該先端部より外に出ている状態の前記ヘルメットのあご紐６が開閉の妨げにならない程度の大きさで周縁の任意の箇所よりその内側にかけて開口された開口４５を持つキャップ蓋を有する開閉自在の合成樹脂よりなるキャップ４６を設けたものである。勿論このキャップ蓋と共にその対となる合成樹脂よりなるキャップの受け４７を設け、ヒンジ部４８により開閉させるものでもよいし、このキャップの受け４７の部分に溝を利用したスライドできるレール機構を設け、キャップ蓋をキャップの受け４７に対し水平にスライドさせて前記開口部６３を開閉するなどの別方式のものでもよい。このキャップ蓋及びキャップの受け４７を更に場合によってはヒンジ部４８をも加えてもってなるキャップ４６の素材としてはこの合成樹脂の他にゴム、金属、又は木材が使用し得る。この素材が金属及び木材の場合であれば、それぞれ塗装されたものでもよい。
【０１０７】
これにより前記連結体３１の先端部に設けられた前記キャップ４６を閉めた時のキャップ蓋の前記開口４５とヘルメットのあご紐６との隙間が小さいものであるために、前記開口部６３における防水性、気密性が高まり、前記ヘルメット保護カバー内部への雨水、砂塵、ホコリの侵入をより防ぐことが可能となった。
【０１０８】
図２９は第１７又は第１８の実施の形態の前記ヘルメット保護カバーの透視斜視図である。第１７の実施の形態とは前記第１〜１６のいずれか一つの実施の形態におけるヘルメット保護カバーにおいて、また第１８の実施の形態とは前記第１〜１７のいずれか一つの実施の形態におけるヘルメット保護カバーにおいて、図２９を例に示すと前記カバー本体１又は前記連結体３１の任意の箇所より連結紐２９を伸ばし、この伸ばした先に前記ヘルメットのあご紐６を引っ掛けて吊り下げる先のヘルメットホルダー８の上方に、着脱自在に付設できる防水性の有る傘状のカバーを設けたものである。またこれは下端円周部一端４９と該下端円周部一端４９の円周上のほぼ反対側に位置する箇所５０とを着脱自在に連結することが可能な連結帯５１を持ち、この連結帯５１により前記ヘルメットのあご紐６を引っ掛けて吊り下げる先のヘルメットホルダー８の上方に着脱自在に付設できる防水素材のシートよりなる防水性の有る傘状のカバー５２を設けて、この防水性の有る傘状のカバー５２をヘルメットホルダー８の上方に雨水を遮るために着脱自在に付設セットするものである。勿論この場合、連結紐２９のかわりに帯又は鎖を用いてもよいし、ヘルメットホルダー８の上方ではなく上部に付設するもでも、またヘルメットホルダー８のかわりにフック１０の上部又は上方に付設するものでもよい。
【０１０９】
図２９では防水素材のシートを裁断し、この防水性の有る傘状のカバー５２の縫い目４のところで縫うことで、前記防水性の有る傘状のカバー５２を形成しているが、該防水性の有る傘状のカバー５２の素材としてはこの防水素材のシートの他にゴム、合成樹脂、金属、又は木材が使用され得る。この防水性の有る傘状のカバー５２の素材となるゴム、合成樹脂、金属、及び木材はそれぞれ板状のものでもよいし、金属及び木材の場合であればそれぞれ塗装されているものでもよい。
【０１１０】
前記連結帯５１は、好適には下端円周部一端４９の箇所で縫着されその先端部分には面テープ１６が付けられた帯と前記下端円周部一端４９の円周上のほぼ反対側に位置する箇所５０に設けられている面テープ１６とを着け合わせて着脱自在に連結するものが望ましいが、この面テープ１６にかえてボタン、スナップ、ホックなどを使用するものでもよい。勿論下端円周部一端４９の箇所に前記連結帯５１を付ける手段は縫着に限らない。
【０１１１】
またこの場合前記連結帯５１で連結する際は、該連結帯５１を前記ヘルメットのあご紐６を引っ掛けて吊り下げる先のヘルメットホルダー８又はフック１０の例えば金具などの適所に絡ませ巻きつかせるなどして連結し、前記防水性の有る傘状のカバー５２がこのヘルメットホルダー８又はフック１０の上部又は上方の位置でずり落ちないように安定して付設セットされることが望ましい。前記防水性の有る傘状のカバー５２を前記ヘルメットホルダー８又はフック１０の上部又は上方に着脱自在に付設させる手段は、前記連結帯５１に限らず前記防水性の有る傘状のカバー５２にピンチ、クリップなどの挟持具を設けてこれにより着脱自在に付設するものでもよい。前記防水性の有る傘状のカバー５２は、前記カバー本体１の任意の箇所ではなく前記連結体３１の任意の箇所より連結紐２９、帯、又は鎖を伸ばし、この伸ばした先に付設して紛失しにくくしてもよいし、直接連結しないで単独で前記ヘルメット保護カバーの付属品として提供されるものでもよい。
【０１１２】
この防水性の有る傘状のカバー５２を設けることにより、降雨による雨水が前記カバー本体１の前記開口部６３又は前記連結体３１の先端部の開口から前記ヘルメット保護カバー内部に入り込むことをより防ぐことができる。特にヘルメットが吊り下げられているヘルメットホルダー８又はフック１０の真上に雨水を遮るオートバイシートの縁などの遮蔽物が無い場合などは、この効果は更に大きくなる。
【０１１３】
図３０は第１９の実施の形態のヘルメット保護カバーの斜視図であり、前記第１〜１８のいずれか一つの実施の形態におけるヘルメット保護カバーにおいて、前記カバー本体１の前記開閉部３の開閉具を止水ファスナーなどのファスナー５３とし、このファスナー５３の下止から上止５４へ向かった場合にこの上止５４の先方に当たる前記カバー本体１における適所にマグネットの付いた部材５５を付設し、前記ファスナー５３を閉めた状態でこのマグネットの付いた部材５５と前記ファスナー５３のスライダー又はこのスライダーの引手部分５６に付設したマグネットの付いた部材５５とをそのマグネットの磁力により付けたり逆に手で強く引き離したりするもの、そして第２１の実施の形態のヘルメット保護カバーとしてはこの他に、例えば（１）前記カバー本体１の前記開閉部３の開閉具を止水ファスナーなどのファスナー５３とし、このファスナー５３の下止から上止５４へ向かった場合にこの上止５４の先方に当たる前記カバー本体１における任意の箇所に金属、合成樹脂、又は木材よりなるリングなどの貫通孔を有する部材を付設し、前記ファスナー５３を閉めた状態でこの貫通孔を有する部材と前記ファスナーのスライダーの引手部分５６の貫通孔又はこのスライダー若しくはこの引手部分に付設した前記貫通孔を有する部材とを南京錠などの錠前により着脱自在に締めて、前記開閉部３を施錠可能としたもの、（２）前記開閉部３を防水素材のシートよりなる比翼仕立にして前記開閉部３を覆う場合にこの比翼仕立の周縁部及びその対面となる前記カバー本体１の部分にボタン受けとその対のボタンを、又は周縁部内側及びその対面となる前記カバー本体１の部分に面テープ１６、スナップ、ホックなどを設けて前記開閉部３を更に外側から開閉自在に締着するものなどがある。
【０１１４】
この第１９の実施の形態のヘルメット保護カバーによれば、前記ヘルメット保護カバーはヘルメットがどんな位置で収納保管されていても何かの弾みで意図せず前記開閉部３が開いてしまうといったことも少なくなり、更に前記開閉部３を施錠可能とした場合には防犯性も増すことになる。
【０１１５】
図３１は第１９又は第２０の実施の形態のヘルメット保護カバーの斜視図である。この第１９又は第２０の実施の形態のヘルメット保護カバーは、第１９の実施の形態については前記第１〜１８のいずれか一つの実施の形態におけるヘルメット保護カバーにおいて、また第２０の実施の形態については前記第１〜１９のいずれか一つの実施の形態におけるヘルメット保護カバーにおいて、図３１を例として示せば前記カバー本体１の前記開閉部３の開閉具を止水ファスナーなどのファスナー５３とし、このファスナー５３の下止から上止５４へ向かった場合にこの上止５４の先方に当たる前記カバー本体１における任意の箇所に金属、合成樹脂、又は木材よりなるリングなどの貫通孔を有する部材５７を付設し、前記ファスナー５３を閉めた状態でこの貫通孔を有する部材５７と前記ファスナー５３のスライダーの引手部分５６の貫通孔又はこのスライダー若しくはこの引手部分５６に付設した前記貫通孔を有する部材５７とを南京錠などの錠前５８により着脱自在に締めて、前記開閉部３を施錠可能としたものである。これは何かの弾みで前記開閉具に緩みが生じ前記開閉部３が意図せず開いてしまうことを防ぐと共に、施錠可能とすることで防犯性を高めたものである。
【０１１６】
図３２は第２１の実施の形態の透視斜視図であり、前記第１〜２０のいずれか一つの実施の形態におけるヘルメット保護カバーにおいて、前記カバー本体１の内側に少なくともこの前記カバー本体１を収納することが可能なポケット５９を設けたものである。勿論このポケット５９はカバー本体１の内側に限らず外側に設けるものでもよい。またこのポケット５９にはその入口を開閉自在に閉じることができるためのファスナー、面テープ、ボタン、スナップ、又はホックが設けられていることが望ましい。
【０１１７】
これにより、前記ヘルメット保護カバーはコンパクトに収納可能となり、その携帯性が
更に向上し、どこにでも気軽に持ち歩ける利点が増した。
【０１１８】
図３３は第２２の実施の形態のオートバイ駐輪時の使用での斜視図であり、前記第１〜２１のいずれか一つの実施の形態におけるヘルメット保護カバーにおいて、前記カバー本体１の表面に文字６０を描いたものである。勿論これは一例で少なくとも前記カバー本体１の表面に、このような文字６０だけではなく数字、ロゴマークなど様々なものを描いたものでも、彩色、写真プリントなどを施したものでも、また前記カバー本体１の表面が広告宣伝用の露出媒体として使用されているものでもかまわない。
【０１１９】
これによりオートバイ駐輪時の使用では、このヘルメット保護カバー表面の彩色、様々なデザイン性のある文字、数字、模様などの施しによりオートバイ自体をより引き立たせるし、使用していて楽しくもなる。また駐輪場に駐輪しているオートバイのサイドに吊り下げられたヘルメット保護カバーは多くの人達の目に触れることになるので、広告主は新たな広告宣伝用の露出媒体を得たことになる。事業所での使用では、このヘルメット保護カバーに或るグループ特有の文字、彩色、デザインなどを施すことにより、更に一層識別性が向上し、これによりたとえ違った種類のヘルメットを同じ場所に並べて吊り下げておいても、前記ヘルメット保護カバーの中に収納することによりヘルメットの組織別又はグループ別の分別保管が可能となった。
【０１２０】
第２３の実施の形態では、図３４で示すとおり第１〜５のいずれか一つの実施の形態のヘルメット保護カバーにおいて、前記カバー本体１の前記開口部周縁２の任意の箇所及び前記開口部周縁２から外側に離れた任意の外周の箇所６５より連結された、前記ヘルメットのあご紐６をこの中を通し外に出し入れ可能な中空部を持つ前記連結体３１に蛇腹状箇所３３を設け、且つ前記連結体３１を外側から着脱自在に挟むことができる挟持具３２を設け、この挟持具３２により前記あご紐６が前記連結体３１の中を通り該連結体３１の先端部から外に出ている状態で、前記連結体３１を外側から着脱自在に挟み固定し、更に前記カバー本体１の内側又は外側に、少なくとも該カバー本体１を収納することが可能なポケット５９を設けたことを特徴としている。
【０１２１】
この第２３の実施の形態により、収納保管しやすく、前記あご紐６の長い短いを問わず対応可能で、挟持具３２により前記あご紐６が前記連結体３１の中を通り該連結体３１の先端部から外に出ている状態で、前記連結体３１を外側から着脱自在に挟み固定することによりカバー本体内に雨水などが浸入しづらく、持ち運びや携帯に適したヘルメットカバーが提供できることになった。
【０１２２】
図３５は第２４の実施の形態のヘルメット保護カバーのオートバイ駐輪時の使用での透視斜視図であり、第１〜５のいずれか一つの実施の形態をベースに、第６〜８のいずれか一つの実施の形態の特徴である前記カバー本体１の前記開口部周縁２の任意の箇所及び前記開口部周縁２から外側に離れた任意の外周の箇所６５より外側に向けて連結された前記連結体３１を前記挟持具３２により外側から挟み固定したこと、第９の実施の形態の特徴である前記連結体３１に蛇腹状箇所３３を設けたこと、第１９の実施の形態の特徴の一つの例であり第２０の実施の形態の特徴でもある前記開閉部３の開閉具をファスナー５３とし、前記カバー本体１における任意の箇所に貫通孔を有する部材５７を付設し、この貫通孔を有する部材５７と前記ファスナー５３のスライダーの引手部分５６の貫通孔又はこのスライダー若しくはこの引手部分５６に付設した貫通孔を有する部材５７とを錠前５８により着脱自在に締めて前記開閉部３を施錠可能としたこと、更に第２１の実施の形態の特徴である前記カバー本体１の内側に少なくとも該カバー本体１を収納することが可能なポケット５９を設けたことなどの各々の特徴を併せ持った実施の形態を示したものである。
【０１２３】
この第２４の実施の形態によれば、ヘルメット保護カバーは袋状の防水素材のシートよりなるカバー本体１と前記連結体３１によりヘルメット本体５及びヘルメットのあご紐６を包む一体型のシンプルな構造ではあるが、前記挟持具３２により前記連結体３１の先端部を挟み固定することでカバー内部への雨水、砂塵、ホコリの侵入を防ぎ、個々のヘルメットのあご紐６に長い、短いの違いがあっても、あご紐６の長さに対し許容範囲の広い対応が可能な、また何かの弾みで前記開閉部３が意図せず開いてしまうことを防ぎ更に該開閉部３を施錠可能として防犯性を高めた、そしてヘルメット保護カバー自体を折りたたみポケット５９に入れればコンパクトに収納可能となり、その携帯性が更に向上してどこにでも気軽に持ち歩けることができるなどさまざまな利点を持つヘルメットを雨水、砂塵、ホコリからまもるためのヘルメット保護カバーとなった。
【０１２４】
図３６は第１〜５のいずれか一つの実施の形態における一例として、オートバイ駐輪時に本発明のヘルメット保護カバーを使用した状態の遠景斜視図である。図３６ではオートバイ本体６１の側面に付設されているヘルメットホルダー８にカバー本体１に収納されているオートバイ用ヘルメット本体５から前記連結体３１を通り外に伸びた前記あご紐６を引っ掛けることにより、吊り下げられたかたちでこのオートバイ用ヘルメットが前記ヘルメット保護カバーの中に収納保管されている。
【０１２５】
図３７は第１〜５のいずれか一つの実施の形態における一例として、事業所の保安用ヘルメットに本発明のヘルメット保護カバーを使用した状態の遠景斜視図である。図３７では壁面のボード６２のフック１０にカバー本体１に収納されている保安用ヘルメット本体９から前記連結体３１を通り外に伸びた前記あご紐６を引っ掛けることにより、吊り下げられたかたちでこの保安用ヘルメットが前記ヘルメット保護カバーの中に収納保管されている。
【０１２６】
図３８は従来技術としてのオートバイ駐輪時のヘルメットを降雨、砂塵からまもるための保護袋の斜視図であり、既に上述の「発明が解決しようとする課題」のところで詳しく内容を述べているので、ここでは説明を省略する。
【図面の簡単な説明】
【０１２７】
【図１】本発明の第１〜５それぞれの実施の形態の基本部分を構成するカバー本体の開閉部が閉じた状態の斜視図
【図２】本発明の第１〜５それぞれの実施の形態の基本部分を構成するカバー本体の開閉部が開いた状態の正面図
【図３】本発明の第１〜５それぞれの実施の形態の基本部分を構成するカバー本体の開閉部が開いた状態の側面図
【図４】本発明の第１〜５それぞれの実施の形態の基本部分を構成するカバー本体の開閉部が開いた状態の上面図
【図５】本発明の第１〜５それぞれの実施の形態の基本部分を構成するカバー本体の開閉部が開いた状態の底面図
【図６】本発明の第１、第４、又は第５の実施の形態のオートバイ用ヘルメットでの使用時の透視斜視図
【図７】本発明の第１、第４、又は第５の実施の形態の保安用ヘルメットでの使用時の透視斜視図
【図８】本発明の第１の実施の形態の基本部分を構成するカバー本体に第２の実施の形態の特徴を設けたものの斜視図
【図９】本発明の第１の実施の形態の基本部分を構成するカバー本体に第３の実施の形態の特徴を設けたものの斜視図
【図１０】本発明の第１〜５のいずれか一つの実施の形態の開閉部が閉じた状態の斜視図
【図１１】本発明の第１〜５のいずれか一つの実施の形態の開閉部が開いた状態の正面図
【図１２】本発明の第１〜５のいずれか一つの実施の形態の開閉部が開いた状態の側面図
【図１３】本発明の第１、第４、又は第５の実施の形態の開閉部が開いた状態の上面図
【図１４】本発明の第１、第４、又は第５の実施の形態の開閉部が開いた状態の底面図
【図１５】本発明の第１、第４、又は第５の実施の形態の透視斜視図
【図１６】本発明の第１、第４、又は第５の実施の形態のオートバイ用ヘルメットでの使用時の透視斜視図
【図１７】本発明の第１、第４、又は第５の実施の形態の保安用ヘルメットでの使用時の透視斜視図
【図１８】本発明の第５の実施の形態の透視斜視図
【図１９】本発明の第６〜第８のいずれか一つの実施の形態のオートバイ用ヘルメットでの使用時の透視斜視図
【図２０】本発明の第９の実施の形態のオートバイ用ヘルメットでの使用時の透視斜視図
【図２１】本発明の第１０又は第１１の実施の形態の斜視図
【図２２】本発明の第１０又は第１２の実施の形態の斜視図
【図２３】本発明の第１０又は第１３の実施の形態の斜視図
【図２４】本発明の第１４の実施の形態の部分拡大透視斜視図
【図２５】本発明の第１４の実施の形態の透視斜視図
【図２６】本発明の第１５の実施の形態の透視斜視図
【図２７】本発明の第１６の実施の形態の部分拡大斜視図
【図２８】本発明の第１６の実施の形態の斜視図
【図２９】本発明の第１７又は第１８の実施の形態のオートバイ用ヘルメットでの使用時の透視斜視図
【図３０】本発明の第１９の実施の形態の斜視図
【図３１】本発明の第１９又は第２０の実施の形態の斜視図
【図３２】本発明の第２１の実施の形態の透視斜視図
【図３３】本発明の第２２の実施の形態のオートバイ用ヘルメットでの使用時の斜視図
【図３４】本発明の第２３の実施の形態のオートバイ用ヘルメットでの使用時の透視斜視図
【図３５】本発明の第２４の実施の形態のオートバイ用ヘルメットでの使用時の透視斜視図
【図３６】本発明の第１〜５のいずれか一つの実施の形態のオートバイ駐輪時使用での遠景斜視図
【図３７】本発明の第１〜５のいずれか一つの実施の形態の事業所での使用の遠景斜視図
【図３８】従来技術としてのオートバイ駐輪時用のヘルメット保護袋の斜視図
【符号の説明】
【０１２８】
１カバー本体
２開口部周縁
３開閉部
４縫い目
５オートバイ用ヘルメット本体
６あご紐
７Ｄリンク
８ヘルメットホルダー
９保安用ヘルメット本体
１０フック
１１防水性の有る伸縮性素材の幕
１２貫通孔
１６面テープ
２９連結紐
３０中空部
３１連結体
３２挟持具
３３蛇腹状箇所
３４帯の表面
３５帯の裏面
３６帯
３７帯３６の根元の一端
３８紐
３９筒状部
４０筒状部３９の口
４１内ひだ
４２連結体３１の付け根
４３ダーツ止まりの箇所
４４伸縮部材
４５キャップの開口
４６キャップ
４７キャップの受け
４８ヒンジ部
４９傘状のカバーの下端円周部一端
５０傘状のカバーの下端円周部一端の円周上のほぼ反対側の箇所
５１連結帯
５２防水性の有る傘状のカバー
５３ファスナー
５４ファスナーの上止
５５マグネットの付いた部材
５６スライダーの引手部分
５７貫通孔を有する部材
５８錠前
５９ポケット
６０描かれた文字
６１オートバイ本体
６２壁面のボード
６３開口部
６４キャップ蓋
６５カバー本体１の開口部周縁２から外側に離れた任意の外周の箇所
６６防水布地
６７ミシン縫いの跡
６８開閉口
６９防さび金属製大型リング付きファスナー
７０先端部に防さび金属製小型リングを付けた可変式で太めのワイヤー
【図１】
2007247136.tif 000003
【図２】
2007247136.tif 000004
【図３】
2007247136.tif 000005
【図４】
2007247136.tif 000006
【図５】
2007247136.tif 000007
【図６】
2007247136.tif 000008
【図７】
2007247136.tif 000009
【図８】
2007247136.tif 000010
【図９】
2007247136.tif 000011
【図１０】
2007247136.tif 000012
【図１１】
2007247136.tif 000013
【図１２】
2007247136.tif 000014
【図１３】
2007247136.tif 000015
【図１４】
2007247136.tif 000016
【図１５】
2007247136.tif 000017
【図１６】
2007247136.tif 000018
【図１７】
2007247136.tif 000019
【図１８】
2007247136.tif 000020
【図１９】
2007247136.tif 000021
【図２０】
2007247136.tif 000022
【図２１】
2007247136.tif 000023
【図２２】
2007247136.tif 000024
【図２３】
2007247136.tif 000025
【図２４】
2007247136.tif 000026
【図２５】
2007247136.tif 000027
【図２６】
2007247136.tif 000028
【図２７】
2007247136.tif 000029
【図２８】
2007247136.tif 000030
【図２９】
2007247136.tif 000031
【図３０】
2007247136.tif 000032
【図３１】
2007247136.tif 000033
【図３２】
2007247136.tif 000034
【図３３】
2007247136.tif 000035
【図３４】
2007247136.tif 000036
【図３５】
2007247136.tif 000037
【図３６】
2007247136.tif 000038
【図３７】
2007247136.tif 000039
【図３８】
2007247136.tif 000040